(57)【要約】  本明細書では、異種タイプの基地局（ＢＳ）を有するワイヤレスネットワークへのユーザ端末（ＵＴ）アクセスを可能にすることについて説明する。例として、固有の識別子（ＩＤ）が、特定のタイプのネットワークアクセスポイント（たとえば、限定または一般アクセス、完全または部分再使用、送信電力、セルサイズなど）用に予約される。固有のＩＤはそのようなアクセスポイントによってブロードキャストされ、アクセスポイントタイプが識別される。いくつかの態様では、固有のＩＤをネットワークの所定の領域内にある端末にユニキャストする。したがって、少なくともそのような領域内で、好適なタイプのアクセスポイントを探索するか、またはそれにハンドオフするように端末を導くことができる。そのような態様では、領域固有のアクセスを与えることによって、主題の開示は、ホームまたは好適アクセスポイントが発見されることが予想されるホーム領域の外部でのオーバーヘッドシグナリングを著しく低減することができる。  【選択図】    図３
2010541488.tif 000002
【特許請求の範囲】
【請求項１】
ワイヤレスネットワークにおいて領域アクセスを与える方法であって、
ユーザ端末（ＵＴ）に関係する加入者プロファイル情報を取得することと；
前記情報からネットワーク領域を表すデータを抽出することと；
前記ネットワーク領域をワイヤレスネットワークのセルに関連するデータと比較することと；
前記ネットワーク領域が前記セルのネットワーク領域に一致する場合、前記ワイヤレスネットワークの選択されたアクセスポイントに関連する識別子を前記ＵＴに提出することと；
を備える方法。
【請求項２】
前記識別子を、前記ＵＴに関連するネットワーク事業者のパブリックランドモバイルネットワーク（ＰＬＭＮ）識別子（ＩＤ）の等価物として与えることをさらに備える、請求項１に記載の方法。
【請求項３】
前記識別子は前記選択されたアクセスポイントに関連する専用ＰＬＭＮ  ＩＤであり、前記選択されたアクセスポイントはホームノードＢ（ＨＮＢ）である、請求項１に記載の方法。
【請求項４】
前記ＵＴからネットワークアクセス要求を受信した時に前記加入者プロファイル情報を取得することをさらに備える、請求項１に記載の方法。
【請求項５】
前記ＵＴが前記セルを介して前記ワイヤレスネットワークにアクセスすることを許可されるかどうかを確認するために、前記セルの限定加入者グループ（ＣＳＧ）を使用することをさらに備える、請求項１に記載の方法。
【請求項６】
前記ＵＴが前記セルへのアクセスを許可されない場合、前記ＵＴへのネットワークアクセスを拒否することと、遅延期間の間、前記識別子に関連するアクセスポイントを無視することを前記ＵＴに要求する遅延パラメータを前記ＵＴに提出することとをさらに備える、請求項５に記載の方法。
【請求項７】
前記ネットワーク領域を表すデータを抽出することは、前記ＵＴに関連する領域サブスクリプションデータ（ＲＳＤ）を取得することをさらに備え、前記ＲＳＤは前記選択されたアクセスポイントを識別する、請求項１に記載の方法。
【請求項８】
前記ネットワーク領域を表すデータを抽出することは、エリア限定ローミングをサポートする領域ゾーンコード（ＲＺＣ）を取得することをさらに備える、請求項１に記載の方法。
【請求項９】
前記ＵＴが前記選択されたアクセスポイントのうちの少なくとも１つからのサービスを可能にするアクティブなサブスクリプションに関連することを確認することをさらに備える、請求項１に記載の方法。
【請求項１０】
前記ＵＴが前記選択されたアクセスポイントのうちの少なくとも１つを探索し、それにアクセスまたはハンドオフする可能性を高めるか、あるいは前記ＵＴが前記選択されたアクセスポイントとは異なるタイプのアクセスポイントを探索し、それにアクセスまたはハンドオフする可能性を低めるパラメータ化セットを提出することをさらに備える、請求項１に記載の方法。
【請求項１１】
事業者のコアネットワークへのシグナリングインターフェースを介して前記加入者プロファイル情報を取得することをさらに備える、請求項１に記載の方法。
【請求項１２】
ワイヤレスネットワークへの選択的な領域アクセスを与える装置であって、
ユーザ端末（ＵＴ）に関係する加入者プロファイル情報を取得する照会モジュールと；
前記情報からネットワーク領域を表すデータを抽出し、前記抽出されたネットワーク領域をワイヤレスネットワークのセルに関連するデータと比較する分析モジュールと；
前記ネットワーク領域が前記セルのネットワーク領域に一致する場合、前記ワイヤレスネットワークの選択されたアクセスポイントに関連する識別子を前記ＵＴに提出する通信プロセッサと；
を備える装置。
【請求項１３】
前記通信プロセッサは、前記識別子を前記ＵＴに関連するネットワーク事業者のパブリックランドモバイルネットワーク識別子（ＰＬＭＮ  ＩＤ）の等価物として確立する、請求項１２に記載の装置。
【請求項１４】
前記選択されたアクセスポイントは、ホームノードＢ（ＨＮＢ）ネットワーク、部分再使用ネットワーク、サブマクロ電力ネットワークまたはサブマクロセルネットワークを備え；
前記識別子は、それぞれ前記ＨＮＢ、部分再使用、サブマクロ電力またはサブマクロセルネットワークのアクセスポイント用に予約されたＰＬＭＮ  ＩＤである；
請求項１２に記載の装置。
【請求項１５】
前記ＵＴによって開始されたワイヤレス信号中に含まれるアクセス要求から前記ＵＴのＩＤを抽出し、前記加入者プロファイル情報を取得するために前記ＩＤを前記照会モジュールに提出する登録モジュールをさらに備える、請求項１２に記載の装置。
【請求項１６】
前記登録モジュールは、前記ＵＴの前記ＩＤを前記セルに関連するＣＳＧと比較することによって、前記ＵＴが前記セルからサービスを取得することを許可されるかどうかを確認する、請求項１５に記載の装置。
【請求項１７】
前記登録モジュールは、前記ＵＴが前記選択されたアクセスポイントに関係するアクティブなサブスクリプションに関連するかどうかを確認する、請求項１５に記載の装置。
【請求項１８】
前記ＵＴが前記セルへのアクセスを許可されない場合、遅延パラメータを前記ＵＴに提出する限定モジュールをさらに備え、前記遅延パラメータは、遅延期間の間、前記識別子に関連するアクセスポイントを無視することを前記ＵＴに要求する、請求項１２に記載の装置。
【請求項１９】
前記分析モジュールは、前記加入者プロファイル情報から前記選択されたアクセスポイントを識別する領域サブスクリプションデータ（ＲＳＤ）を抽出する、請求項１２に記載の装置。
【請求項２０】
前記分析モジュールは、前記加入者プロファイル情報からエリア限定ローミングに関係する領域ゾーンコード（ＲＺＣ）を抽出し、
前記通信プロセッサは、前記ネットワーク領域が前記セルの前記ネットワーク領域に一致するかどうかを判断するために前記セルのＲＺＣを前記抽出されたＲＺＣと比較する、請求項１２に記載の装置。
【請求項２１】
前記ＵＴが前記選択されたアクセスポイントのうちの少なくとも１つを探索し、それにアクセスまたはハンドオフする確率を上げるか、あるいは前記ＵＴがマクロネットワーク基地局を探索し、それにアクセスまたはハンドオフする確率を下げるパラメータのセットを前記ＵＴに提出する選択的アクセスモジュールをさらに備える、請求項１２に記載の装置。
【請求項２２】
コアモバイル通信ネットワークの構成要素へのシグナリングインターフェースをさらに備え、前記照会モジュールは前記シグナリングインターフェースを介して前記加入者プロファイル情報を取得する、請求項１２に記載の装置。
【請求項２３】
ワイヤレスネットワークにおいて領域アクセスを与える装置であって、
ユーザ端末（ＵＴ）に関係する加入者プロファイル情報を取得するための手段と；
前記情報からネットワーク領域を表すデータを抽出するための手段と；
前記ネットワーク領域をワイヤレスネットワークのセルに関連するデータと比較するための手段と；
前記ネットワーク領域が前記セルのネットワーク領域に一致する場合、前記ワイヤレスネットワークの選択されたアクセスポイントに関連する識別子を前記ＵＴに提出するための手段と；
を備える装置。
【請求項２４】
ワイヤレスネットワークにおいて領域アクセスを与えるように構成された少なくとも１つのプロセッサであって、
ユーザ端末（ＵＴ）に関係する加入者プロファイル情報を取得するように構成された第１のモジュールと；
前記情報からネットワーク領域を表すデータを抽出するように構成された第２のモジュールと；
前記ネットワーク領域をワイヤレスネットワークのセルに関連するデータと比較するように構成された第３のモジュールと；
前記ネットワーク領域が前記セルのネットワーク領域に一致する場合、前記ワイヤレスネットワークの選択されたアクセスポイントに関連する識別子を前記ＵＴに提出するように構成された第４のモジュールと；
を備えるプロセッサ。
【請求項２５】
コンピュータ可読媒体を備えるコンピュータプログラム製品コンピュータであって、前記コンピュータ可読媒体は、
コンピュータにＵＴに関係する加入者プロファイル情報を取得させるための第１のコードセットと；
前記コンピュータに、前記情報からネットワーク領域を表すデータを抽出させるための第２のコードセットと；
前記コンピュータに、前記ネットワーク領域をワイヤレスネットワークのセルに関連するデータと比較させるための第３のコードセットと；
前記ネットワーク領域が前記セルのネットワーク領域に一致する場合、前記コンピュータに、前記ワイヤレスネットワークの選択されたアクセスポイントに関連する識別子を提出させる第４のコードセットと；
を備える、コンピュータプログラム製品。
【請求項２６】
ワイヤレスネットワークへの領域アクセスを取得するための方法であって、
特定のタイプのワイヤレスネットワークアクセスポイントに関連する識別子を取得することと；
要求元デバイスの現在の領域が選択されたアクセスポイントの領域に一致する場合、前記ワイヤレスネットワークにアクセスするために前記識別子に関連する前記アクセスポイントを選択することと；
を備える方法。
【請求項２７】
前記識別子をモバイル事業者の等価パブリックランドモバイルネットワーク識別子（ＰＬＭＮ  ＩＤ）として使用することをさらに備える、請求項２６に記載の方法。
【請求項２８】
加入ベースのワイヤレスサービスに関連するホーム領域ＩＤのセットを維持することをさらに備え、前記ホーム領域ＩＤは、前記ワイヤレスサービスが利用可能または好適である１つまたは複数の地理的領域またはネットワーク領域を定義する、請求項２６に記載の方法。
【請求項２９】
前記識別子がホーム領域ＩＤの前記セットのうちの１つであることを確認することをさらに備える、請求項２８に記載の方法。
【請求項３０】
前記ワイヤレスネットワークにアクセスするために、ホーム領域ＩＤの前記セットのうちの１つに一致する前記識別子を条件とすることをさらに備える、請求項２９に記載の方法。
【請求項３１】
前記選択されたアクセスポイントへのアクセス要求が拒否された場合、そのようなアクセスポイントのセルＩＤを追跡することをさらに備える、請求項２６に記載の方法。
【請求項３２】
前記選択されたアクセスポイントのうちの１つへのアクセス要求が拒否された場合、前記遅延パラメータによって定義された遅延期間の間、前記識別子に関連するアクセスポイントの探索またはシグナリングを控えるために遅延パラメータを使用することをさらに備える、請求項２６に記載の方法。
【請求項３３】
前記アクセス要求が拒否された場合、前記特定のタイプのアクセスポイント以外の前記ワイヤレスネットワークの基地局によって少なくとも部分的に利用されるセル階層レベルに切り替えることをさらに備える、請求項２６に記載の方法。
【請求項３４】
少なくとも１つの選択されたアクセスポイントへのアクセス要求が承認された場合、そのようなアクセスポイントのセルＩＤを記憶することをさらに備える、請求項２６に記載の方法。
【請求項３５】
前記ワイヤレスネットワークへのアクセスが承認された場合、要求元ＵＴの位置を追跡することと、前記位置を前記選択されたアクセスポイントへの許されるアクセス位置と相関させることとをさらに備える、請求項２６に記載の方法。
【請求項３６】
前記識別子に関連しない前記ワイヤレスネットワークのアクセスポイントの代わりに、前記特定のタイプのアクセスポイントを探索し、それにアクセスまたはハンドオフする可能性に重み付けするパラメータのセットを取得することをさらに備える、請求項２６に記載の方法。
【請求項３７】
ワイヤレスネットワークへの領域アクセスを取得するように構成されたユーザ端末（ＵＴ）であって、
特定のタイプのワイヤレスネットワークアクセスポイントに関連する識別子を取得する信号プロセッサと；
前記ＵＴが位置する領域が選択されたアクセスポイントの領域に一致する場合、前記ワイヤレスネットワークにアクセスするために前記識別子に関連する前記アクセスポイントを選択するアクセスモジュールと；
を備えるＵＴ。
【請求項３８】
加入ベースのサービスまたは好適なサービスを前記ＵＴに与える１つまたは複数の地理的領域またはネットワーク領域に関連するホーム領域ＩＤのセットに対して前記識別子を照合するフィルタリングモジュールをさらに備える、請求項３７に記載のＵＴ。
【請求項３９】
前記識別子は、前記ワイヤレスネットワークの識別子、位置登録エリア識別子（ＬＡＩ）、ルーティングエリア識別子（ＲＡＩ）、追跡エリアＩＤ（ＴＡＩ）、または領域ゾーンコード（ＲＺＣ）である、請求項３８に記載のＵＴ。
【請求項４０】
前記識別子がホーム領域ＩＤの前記セットのうちの１つに一致する場合、前記フィルタリングモジュールは、前記識別子をネットワーク事業者パブリックランドモバイルネットワーク識別子（ＰＬＭＮ  ＩＤ）の等価物として使用する、請求項３８に記載のＵＴ。
【請求項４１】
前記アクセス要求が拒否された場合の前記アクセスポイントのセルＩＤまたは位置データ；または
前記アクセス要求が承認された場合の前記アクセスポイントのセルＩＤまたは位置データ；
のうちの少なくとも１つを記録する接続性追跡モジュールをさらに備える、請求項３７に記載のＵＴ。
【請求項４２】
前記アクセス要求が拒否された場合、前記識別子に関連するアクセスポイントへの後続のシグナリングに遅延時間を課するタイミングモジュールをさらに備える、請求項３７に記載のＵＴ。
【請求項４３】
前記アクセス要求が承認または拒否された場合、前記ＵＴのアクセス位置を取得する位置追跡モジュールをさらに備える、請求項３７に記載のＵＴ。
【請求項４４】
接続性追跡モジュールは、前記アクセス位置を、
前記要求が拒否された場合の限定アクセス位置；または
前記要求が承認された場合の現在の登録エリア；
のうちの少なくとも１つに相関させる、請求項４３に記載のＵＴ。
【請求項４５】
前記選択されたアクセスポイントに関連する登録エリアが限定登録エリアであるか一般アクセス登録エリアであるかを識別するデータのために、前記選択されたアクセスポイントにおいて開始された受信ワイヤレス信号を走査する解析モジュールをさらに備える、請求項３７に記載のＵＴ。
【請求項４６】
前記アクセスモジュールが、前記識別子に関連するアクセスポイントが現在前記ワイヤレスネットワークとの通信に適していないと決定した後、前記識別子に関連しないアクセスポイントを探索し、前記識別子に関連しないアクセスポイントにアクセスまたはハンドオフする、請求項３７に記載のＵＴ。
【請求項４７】
前記アクセスモジュールが、前記識別子に関連するアクセスポイントが現在前記通信に適していないと決定する前に、前記識別子に関連するアクセスポイントによって利用される周波数内セルまたは周波数間セルを探索する、請求項４６に記載のＵＴ。
【請求項４８】
ワイヤレスネットワークへの領域アクセスを取得するように構成された装置であって、
特定のタイプのワイヤレスネットワークアクセスポイントに関連する識別子を取得するための手段と；
要求元デバイスの現在の領域が選択されたアクセスポイントの領域に一致する場合、前記ワイヤレスネットワークにアクセスするために前記識別子に関連する前記アクセスポイントを選択するための手段と；
を備える装置。
【請求項４９】
ワイヤレスネットワークへの領域アクセスを取得するように構成された少なくとも１つのプロセッサであって、
特定のタイプのワイヤレスネットワークアクセスポイントに関連する識別子を取得するように構成された第１のモジュールと；
要求元デバイスの現在の領域が選択されたアクセスポイントの領域に一致する場合、前記ワイヤレスネットワークにアクセスするために前記識別子に関連する前記アクセスポイントを選択するように構成された第２のモジュールと；
を備えるプロセッサ。
【請求項５０】
コンピュータ可読媒体を備えるコンピュータプログラム製品であって、前記コンピュータ可読媒体は、
コンピュータに、特定のタイプのワイヤレスネットワークアクセスポイントに関連する識別子を取得させるための第１のコードセットと；
要求元デバイスの現在の領域が選択されたアクセスポイントの領域に一致する場合、前記コンピュータに、前記ワイヤレスネットワークにアクセスするために前記識別子に関連する前記アクセスポイントを選択させるための第２のコードセットと；
を備える、コンピュータプログラム製品。
【発明の詳細な説明】
【米国特許法第１１９条に基づく優先権の主張】
【０００１】
本特許出願は、本出願の譲受人に譲渡され、参照により本明細書に明白に組み込まれる、２００７年１０月１日に出願された「METHODS, APPARATUS, AND SYSTEM FOR SUPPORTING ACCESS POINT BASE STATIONS WITHIN A WIRELESS WAN SYSTEM」と題する米国仮出願第６０／９７６，７３８号の優先権を主張する。
【同時係属特許出願の参照】
【０００２】
本特許出願は、本明細書と同時に出願され、本出願の譲受人に譲渡され、参照により本明細書に明白に組み込まれる、弁理士整理番号０７２４９７（ＱＵＡＦＰ１２８０ＵＳ）を有する、Aziz Gholmiehらによる同時係属の米国特許出願「MOBILE ACCESS IN A DIVERSE ACCESS POINT NETWORK」に関連する。
【技術分野】
【０００３】
以下の開示は一般にワイヤレス通信に関し、より詳細には、多様なアクセスポイント環境においてデバイスのリモートアクセスを管理することに関する。
【背景技術】
【０００４】
ワイヤレス通信システムは、様々なタイプの通信（たとえば、音声、データ、マルチメディアサービスなど）を複数のユーザに提供するために広く展開されている。加入ベースのサービスにより、ユーザは、サービスプロバイダのネットワークを介して様々な通信コンテンツにアクセスし、通信コンテンツを利用することができる。高速なマルチメディアデータサービスの需要が急速に増大するにつれて、向上した性能をもつ効率的で堅牢な通信システムを実装することが課題となっている。
【０００５】
デジタル加入者回線（ＤＳＬ）、ケーブル回線、ダイヤルアップ、あるいはインターネットサービスプロバイダ（ＩＳＰ）によって提供される同様の接続など、従来の固定回線通信システムはワイヤレス通信の代替物であり、時々、競合通信プラットフォームである。しかしながら、近年、ユーザは固定回線通信の代わりにモバイル通信を使用し始めた。ユーザモビリティ、相対サイズの小さいユーザ装置（ＵＥ）、公衆交換電話ネットワークならびにインターネットへの容易なアクセスなど、モバイル通信システムのいくつかの利点により、そのようなシステムは非常に便利になり、したがって非常に普及した。ユーザが、従来、固定回線システムを通して取得していた通信サービスのためにモバイルシステムをより多く利用し始めるにつれて、帯域幅の増大、確実なサービス、高い音声品質および低価格の需要が高まっている。
【０００６】
現在実施されているモバイル電話ネットワークに加えて、新しい種類の小型基地局が出現した。これらの小型基地局は、低電力であり、一般に、固定回線通信を利用してモバイル事業者のコアネットワークに接続することができる。さらに、これらの基地局は、家庭、オフィス、共同住宅、民間レクリエーション施設などでパーソナル／プライベート用に分配して、屋内／屋外のワイヤレスカバレージをモバイルユニットに与えることができる。これらのパーソナル基地局は、一般に、アクセスポイント基地局として、または、代替的に、ホームノードＢユニット（ＨＮＢ）またはフェムトセルとして知られている。フェムトセル基地局はモバイルネットワーク接続性に新しいパラダイムを与え、モバイルネットワークアクセスおよびアクセス品質の直接加入者制御を可能にする。
【発明の概要】
【０００７】
以下に、１つまたは複数の態様の基本的な理解を与えるために、そのような態様の簡略化した概要を提示する。この概要は、すべての企図される態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化した形で提示することである。
【０００８】
主題の開示は、ワイヤレスネットワークにおいてアクセスポイントの選択グループを識別することを提供する。いくつかの態様では、パブリックランドモバイルネットワーク（ＰＬＭＮ）識別子（ＩＤ）が、そのようなアクセスポイントの選択されたカテゴリ用に予約される。アクセスポイントは、少なくとも１つの態様では、アクセスタイプ、再使用タイプ、送信電力、セルサイズなど、またはそれらの組合せに応じて分類できる。さらに、予約済みのＰＬＭＮ  ＩＤ内に、ＩＤ（たとえば、登録エリア識別子、追跡エリア識別子、ルーティングエリア識別子、位置登録エリア識別子など）に関連する地理的領域またはネットワーク領域に応じて、選択されたアクセスポイントの領域グループを確立することができる。モバイル端末が（たとえば、ＩＤによって判断された）ホーム領域に入った場合、予約済みＰＬＭＮ  ＩＤがネットワークからモバイル端末に与えられる。特定の態様では、予約済みＰＬＭＮ  ＩＤは事業者のＰＬＭＮ  ＩＤの等価物として確立され、あたかも選択されたアクセスポイントが事業者のＰＬＭＮ  ＩＤの一部であるかのように、モバイル端末がそれらのアクセスポイントを探索し、それにアクセスおよび／またはハンドオフできるようにする。したがって、モバイル端末がホーム領域内にあるとき、選択されたアクセスポイントは事業者のアクセスポイントと等価であると考えられる。ホーム領域内にないときは、予約済みＰＬＭＮ  ＩＤのアクセスポイントは別個であると考えられ、事業者のアクセスポイントとは別に扱われ、あるいは無視されるなどである。
【０００９】
上記に加えて、主題の開示は、限定アクセス（ＲＡ）基地局（ＢＳ）環境においてモバイル端末のシグナリングの低減を提供する。モバイル端末へのネットワークアクセスを与えるホームＢＳは、ＢＳの位置を包含するホーム領域に関連付けられる。さらに、ホームＢＳは、（たとえば、ＢＳまたはネットワークセルのカテゴリによって識別された）ホーム領域の選択されたアクセスポイントに関係する予約済みＰＬＭＮ  ＩＤに関連付けられる。モバイル端末がホーム領域に入ると、予約済みＰＬＭＮ  ＩＤがネットワークから受信され、端末は、ＲＡ  ＢＳを探索し、それへのアクセスおよび／またはハンドオフを可能とする。そして、ホーム領域の外部では、ＲＡ  ＢＳはシグナリングオーバーヘッドを保存するために無視される。
【００１０】
ホーム領域内でシグナリングオーバーヘッドを保存するために、ネットワークへのアクセス要求が拒否されたとき、ＢＳのセル識別子および／または位置(position location)が追跡される。さらなる態様によれば、端末は、ＲＡ  ＢＳへの過剰なシグナリングを防ぐために、遅延期間の間、予約済みＰＬＭＮ  ＩＤに関連するＢＳへのアクセスを控える。モバイル端末へのアクセスが与えられる場合、セル識別子または位置を追跡して、将来のアクセスのためにセルおよび／またはセルの位置を識別する。したがって、端末は、ネットワークアクセスを限定する端末をアクセスを許可する端末と区別して、稠密に展開された環境における潜在的なＢＳシグナリングを大幅に低減することができる。
【００１１】
さらに他の態様によれば、パラメータのセットをネットワークから受信し、ＢＳの選択カテゴリの識別、それへのアクセスおよび／またはハンドオフの可能性(likelihood)を増加する。モバイル端末がホーム領域に遭遇するとき、ホームＢＳ（たとえば、ホームノードＢ［ＨＮＢ］）と同様の（１つまたは複数の）タイプのＢＳに遭遇する可能性を高めるパラメータが与えられる。したがって、端末は、たとえば、ホーム領域内でマクロネットワークにキャンプする可能性が低くなり、ホームＢＳまたは選択されたタイプのＢＳを識別する可能性が高くなる。
【００１２】
ここに記載される１つ以上の態様に従って、ワイヤレスネットワークにおいて領域アクセスを与える方法が開示される。本方法は、ユーザ端末（ＵＴ）に関係する加入者プロファイル情報を取得することと、情報からネットワーク領域を表すデータを抽出することとを備える。さらに、本方法は、ネットワーク領域をワイヤレスネットワークのセルに関連するデータと比較することと、ネットワーク領域がセルのネットワーク領域に一致する場合、ワイヤレスネットワークの選択されたアクセスポイントに関連する識別子をＵＴに提出することとを備える。
【００１３】
他の態様では、ワイヤレスネットワークへの選択的な領域アクセスを与える装置が開示される。本装置は、ＵＴに関係する加入者プロファイル情報を取得する照会モジュールを備える。さらに、本装置は、情報からネットワーク領域を表すデータを抽出し、抽出されたネットワーク領域をワイヤレスネットワークのセルに関連するデータと比較する分析モジュールを備える。上記に加えて、本装置は、ネットワーク領域がセルのネットワーク領域に一致する場合、ワイヤレスネットワークの選択されたアクセスポイントに関連する識別子をＵＴに提出する通信プロセッサを備える。
【００１４】
１つ以上の更なる態様では、ワイヤレスネットワークにおいて領域アクセスを与える装置が開示される。本装置は、ＵＴに関係する加入者プロファイル情報を取得するための手段と、情報からネットワーク領域を表すデータを抽出するための手段とを備える。さらに、本装置は、ネットワーク領域をワイヤレスネットワークのセルに関連するデータと比較するための手段と、ネットワーク領域がセルのネットワーク領域に一致する場合、ワイヤレスネットワークの選択されたアクセスポイントに関連する識別子をＵＴに提出するための手段とを備える。
【００１５】
さらに他の態様では、ワイヤレスネットワークにおいて領域アクセスを与えるように構成されたプロセッサが開示される。本プロセッサは、ＵＴに関係する加入者プロファイル情報を取得する第１のモジュールと、情報からネットワーク領域を表すデータを抽出する第２のモジュールとを備える。さらに、本プロセッサは、ネットワーク領域をワイヤレスネットワークのセルに関連するデータと比較する第３のモジュールを備える。本装置は、さらに、ネットワーク領域がセルのネットワーク領域に一致する場合、ワイヤレスネットワークの選択されたアクセスポイントに関連する識別子をＵＴに提出する第４のモジュールを備える。
【００１６】
さらに他の態様では、コンピュータ可読媒体を備えるコンピュータプログラム製品が開示される。コンピュータ可読媒体は、コンピュータに、ＵＴに関係する加入者プロファイル情報を取得させるためのコードの第１のセットと、コンピュータに、情報からネットワーク領域を表すデータを抽出させるためのコードの第２のセットとを備える。さらに、コンピュータ可読媒体は、コンピュータに、ネットワーク領域をワイヤレスネットワークのセルに関連するデータと比較させるためのコードの第２のセットを備える。上記に加えて、コンピュータ可読媒体は、ネットワーク領域がセルのネットワーク領域に一致する場合、コンピュータに、ワイヤレスネットワークの選択されたアクセスポイントに関連する識別子を提出させるコードの第３のセットを備える。
【００１７】
主題の開示の他の態様によれば、ワイヤレスネットワークへの領域アクセスを取得するための方法が提供される。本方法は、特定のタイプのワイヤレスネットワークアクセスポイントに関連する識別子を取得することを備える。少なくとも１つの態様では、本方法は、要求元デバイスの現在の領域が選択されたアクセスポイントの領域に一致する場合、ワイヤレスネットワークにアクセスするために識別子に関連するアクセスポイントを選択することをさらに備える。
【００１８】
いくつかの態様によれば、ワイヤレスネットワークへの領域アクセスを取得するように構成されたＵＴが提供される。本ＵＴは、特定のタイプのワイヤレスネットワークアクセスポイントに関連する識別子を取得する信号プロセッサを備える。さらに、本ＵＴは、ＵＴが位置する領域が選択されたアクセスポイントの領域に一致する場合、ワイヤレスネットワークにアクセスするために識別子に関連するアクセスポイントを選択するアクセスモジュールを備える。
【００１９】
追加の態様によれば、ワイヤレスネットワークへの領域アクセスを取得するように構成された装置が提供される。本装置は、特定のタイプのワイヤレスネットワークアクセスポイントに関連する識別子を取得するための手段を備える。さらに、本装置は、要求元デバイスの現在の領域が選択されたアクセスポイントの領域に一致する場合、ワイヤレスネットワークにアクセスするために識別子に関連するアクセスポイントを選択するための手段を備える。
【００２０】
主題の開示のさらに他の態様によれば、ワイヤレスネットワークへの領域アクセスを取得するように構成されたプロセッサが提供される。本プロセッサは、特定のタイプのワイヤレスネットワークアクセスポイントに関連する識別子を取得するように構成された第１のモジュールを備える。さらに、本プロセッサは、要求元デバイスの現在の領域が選択されたアクセスポイントの領域に一致する場合、ワイヤレスネットワークにアクセスするために識別子に関連するアクセスポイントを選択するように構成された第２のモジュールを備える。
【００２１】
さらなる態様によれば、コンピュータ可読媒体を備えるコンピュータプログラム製品が開示される。本コンピュータ可読媒体は、コンピュータに、特定のタイプのワイヤレスネットワークアクセスポイントに関連する識別子を取得させるためのコードの第１のセットを備える。本コンピュータ可読媒体は、要求元デバイスの現在の領域が選択されたアクセスポイントの領域に一致する場合、コンピュータに、ワイヤレスネットワークにアクセスするために識別子に関連するアクセスポイントを選択させるためのコードの第２のセットをさらに備える。
【００２２】
上記および関連する目的を達成するために、１つまたは複数の態様は、以下で十分に説明し、特に特許請求の範囲で指摘する特徴を備える。以下の説明および添付の図面に１つまたは複数の態様のうちのいくつかの例示的な態様を詳細に記載する。ただし、これらの態様は、様々な態様の原理を使用することができる様々な方法のほんのいくつかを示すものであり、説明する態様は、すべてのそのような態様およびそれらの均等物を含むよう意図される。
【図面の簡単な説明】
【００２３】
【図１】主題の開示の態様による例示的なワイヤレス通信環境のブロック図。
【図２】他の態様による、限定アクセス（ＲＡ）基地局（ＢＳ）を備える例示的なワイヤレスネットワークのブロック図。
【図３】いくつかの態様による、異種アクセスポイントネットワークにおいてモバイルデバイスアクセスを与える例示的なシステムのブロック図。
【図４】いくつかの態様による、領域アクセスを可能にするために加入者プロファイルデータを取得する例示的なシステムのブロック図。
【図５】領域ＲＡ  ＢＳと一般アクセス（ＧＡ）マクロＢＳとを備える例示的なネットワーキング環境のブロック図。
【図６】１つまたは複数のカテゴリのＢＳを探索またはアクセスする可能性に重み付けするための例示的なパラメータ化レコードのブロック図。
【図７】主題の開示の態様による、ＵＴへの領域アクセスを与える例示的な基地局のブロック図。
【図８】他の態様による、領域限定ネットワークアクセスを可能にする例示的なＵＴのブロック図。
【図９】いくつかの態様による、選択されたカテゴリのＢＳへの領域アクセスを与えるための例示的な方法のフローチャート。
【図１０】異なるカテゴリのＢＳの稠密な展開においてシグナリングの低減を可能にするための例示的な方法のフローチャート。
【図１１】本明細書で開示する態様による、選択されたＢＳの領域グループに基づいてネットワークにアクセスするための例示的な方法のフローチャート。
【図１２】異種カテゴリのＢＳの稠密な展開においてシグナリングオーバーヘッドの低減を可能にするための例示的な方法のフローチャート。
【図１３】選択されたタイプのネットワークＢＳへの領域アクセスを与える例示的なシステムのブロック図。
【図１４】選択されたタイプのネットワークＢＳへの領域アクセスを可能にする例示的なシステムのブロック図。
【発明の詳細な説明】
【００２４】
次に、図面を参照しながら様々な態様について説明する。図面では、全体にわたって同様の要素を指すために同様の参照符号を使用する。以下の記述では、説明の目的で、１つまたは複数の態様の完全な理解を与えるために多数の特定の詳細を記載する。ただし、そのような（１つまたは複数の）態様は、これらの特定の詳細なしに実施できることは明らかであろう。他の例では、１つまたは複数の態様の説明を円滑にするために、よく知られた構造およびデバイスはブロック図の形態で示す。
【００２５】
さらに、本開示の様々な態様について以下で説明する。本明細書の教示は多種多様な形で実施でき、本明細書で開示する特定の構造および／または機能は代表的なものにすぎないことは明らかであろう。本明細書の教示に基づいて、本明細書で開示する態様は他の態様とは無関係に実現できること、およびこれらの態様のうちの２つ以上を様々な方法で組み合わせることができることは当業者において理解されよう。たとえば、本明細書に記載の態様をいくつ使用しても、装置を実現し、および／または方法を実施することができる。さらに、本明細書に記載の態様のうちの１つまたは複数に加えて、あるいはそれら以外に、他の構造および／または機能を使用して装置を実現し、および／または方法を実施することができる。一例として、本明細書で説明する方法、デバイス、システムおよび装置の多くは、異なるタイプのアクセスポイントを備えるワイヤレス環境において改善された基地局（ＢＳ）アクセスを実現するという文脈で説明される。同様の技法が他の通信環境に適用できることを当業者であれば理解するであろう。
【００２６】
通信ネットワークへのワイヤレスアクセスポイントの開発は、従来のワイヤレス通信システムと従来の固定回線通信システムとの間の収束をもたらすために提供される１つの解決策となっている。固定ワイヤレス収束としても知られている収束は、固定回線ネットワーク（たとえば、イントラネット、インターネットなど）とモバイル通信ネットワーク（たとえば、セルラー電話ネットワーク）との間のある程度のインターオペラビリティを必要とする。ここで利用されるアクセスポイントは、ユーザ端末（ＵＴ）を通信ネットワークに通信可能に結合するように構成された適切なノード、ルータ、スイッチ、ハブなどを含む。アクセスポイントは、有線（たとえば、イーサネット（登録商標）、ユニバーサルシリアルバス［ＵＳＢ］または通信用の他の有線接続を使用する）、ワイヤレス（たとえば、通信用の無線信号を使用する）、または両方とすることができる。アクセスポイントの例には、アクセスポイント基地局（ＢＳ）、ワイヤレスローカルエリアネットワーク（ＷＬＡＮ）アクセスポイント、ワールドワイドインターオペラビリティフォーマイクロウェーブアクセス（ＷｉＭＡＸ）ＢＳを含むワイヤレスワイドエリアネットワーク（ＷＷＡＮ）アクセスポイントなどがある。アクセスポイントＢＳは、回線交換音声ネットワーク、組み合わされた回線交換とパケット交換の音声およびデータネットワーク、または全パケット音声およびデータネットワークなど、モバイル通信事業者のネットワークへのアクセスポイントを備える。アクセスポイントＢＳ（本明細書では代替としてＢＳと呼ぶ）の例には、マクロセル、マイクロセル、ピコセル、フェムトセルなどを含む様々な送信電力／セルサイズのノードＢ（ＮＢ）、送受信基地局（ＢＴＳ）、ホームノードＢ（ＨＮＢ）、ホームｅノードＢ（ＨｅＮＢ）、または単にＢＳがある。
【００２７】
従来のマクロＢＳネットワークへの様々なタイプのアクセスポイントＢＳの導入により、著しい柔軟性がもたらされ、そのようなネットワークへのパーソナルアクセスに対するコンシューマ制御が可能になる。ユーザは、しばしば、どちらがより良い信号を与えるかに応じて近くのアクセスポイントＢＳまたはマクロネットワークＢＳを選択するように、端末デバイスを構成することができる。さらに、アクセスポイントＢＳは、少なくともいくつかの状況において、マクロネットワークと比較して好ましい料金プランを提供することができ、ユーザは利用料金を減らせるようになる。
【００２８】
ワイヤレス通信帯域幅およびデータ転送速度が時間とともに増加し、ＵＴ処理およびユーザインターフェース機能がより洗練されたため、ユーザは、以前はパーソナルコンピュータおよび固定回線通信でのみ利用可能であった機能をモバイルデバイスを使用して実行することができる。しかしながら、典型的なマクロネットワークは、しばしば一次市場として大規模な公共使用とともに展開されるので、（たとえば、建築物、絶縁材、土地整備などによる無線周波信号の吸収により）屋内受信は、しばしば屋外受信よりも劣悪であり、モバイルデバイスは、そのような環境において固定回線コンピュータよりも有効でなくなる。しかしながら、アクセスポイントＢＳは、この環境において著しい改善を与えることができる。一例として、ＨＮＢおよびＨｅＮＢ技術（以下集合的にＨＮＢと呼ぶ）は、屋内および屋外でのパーソナルワイヤレス接続に対するかなりの制御をユーザに与え、しばしば、大部分またはすべてのそのような接続の問題をなくす。したがって、ＨＮＢは、マクロネットワークの準最適環境においてもＵＴモビリティをさらに拡張することができる。
【００２９】
ＨＮＢおよび他のアクセスポイント展開の著しい利点にもかかわらず、アクセスポイントＢＳを事業者のマクロネットワークに結合する際の複雑さが増したために、いくつかの問題が生じている。たとえば、特にＨＮＢの場合のアクセスポイント展開は一般に無計画または半計画であり、これは、これらのＢＳがネットワーク事業者の制御外で設置されることを意味する。したがって、事業者は、他のそのようなアクセスポイントまたはマクロＢＳに対するこれらのアクセスポイントの理想的な配置を実現するための容量が制限される。さらに、他のアクセスポイントセルに対するワイヤレス信号の空間整形、またはそのようなアクセスポイントセルの位置特定の正確な知識さえ厳しく制限されることがある。さらに、ＨＮＢ展開がコンシューマの購買および設置にオープンである場合、高人口の都市または商業エリアにおいて、そのようなセルの非常に稠密な設置が行われ、近くのＨＮＢおよびマクロセルの中でのワイヤレスリソース競合をもたらすことがある。さらに、ＨＮＢは、一般に限定加入者グループ（ＣＳＧ）に関連し、ＣＳＧのメンバーのみにネットワークアクセスを与え、たとえば、一般のセルラー利用者にはアクセスが与えられない。したがって、マクロネットワークの中のＨＮＢ展開は、限定アクセス（ＲＡ）ＢＳを一般アクセス（ＧＡ）ＢＳに統合する。
【００３０】
特にそのようなＢＳが両方ともセルラー周波数を利用する場合、多数のレガシーＵＴは、ＧＡ  ＢＳとＲＡ  ＢＳを区別する能力がなく、したがって、ＵＴへのサービスを拒否するＲＡ  ＢＳを探索し、ＲＡ  ＢＳへのアクセスを試みることにかなりの電力を費やすことがある。さらに、レガシー端末およびレガシーワイヤレスネットワーキング規格では、モバイル端末が最適な信号を特定するために着信ワイヤレス信号を走査する必要がある。端末が区別することができる近くのＢＳが少数しかない場合、これは、一般に実行可能なプロセスである。しかしながら、稠密なアクセスポイント展開では、非常に近接して（たとえば、大きい都市の共同住宅内に）数十または数百ものアクセスポイントが存在することがある。ＵＴを含むＣＳＧを有するＵＴのホームアクセスポイントが稠密な展開内にある場合、ホームアクセスポイントを何百または何千もの近くの外部アクセスポイントと区別することは重大な問題となる。たとえば、ＵＴは、ＵＴへのネットワークアクセスを拒む外部アクセスポイントのキャンプ（パイロットおよび制御チャネルの分析）またはシグナリングにかなりの電力を利用することになる。
【００３１】
ＵＴがホームアクセスポイントを含む領域中にない場合、ＲＡ  ＢＳを一般アクセス（ＧＡ）ＢＳと区別し、ＲＡ  ＢＳを無視することが問題になる。マクロネットワークとは異なる周波数を利用するアクセスポイントは、一般に周波数フィルタリングによって区別できる。しかしながら、ＨＮＢは、しばしばマクロネットワーク周波数を共用し、したがって、それほど容易には区別されない。したがって、ＨＮＢ  ＢＳをマクロネットワークＢＳと区別する必要がある。さらに、ホームＢＳが発見される可能性がないとき、ＲＡ  ＢＳへのＵＴシグナリングを制限することが有益である。さらに、ホームＢＳが発見されることが予想される場合、ＲＡ  ＢＳのためのシグナリングまたは探索の可能性を高めること、および外部ＨＮＢへの冗長シグナリングを緩和することが有益である。主題の開示の態様は、上記の問題の多くを改善することができる。
【００３２】
主題の開示は、統合または異種ワイヤレスアクセスポイント展開においてＵＴアクセスの効率の改善を提供する。効率は、アクセス可能なアクセスポイントをアクセス不可能なアクセスポイントと区別することによってオーバーヘッドシグナリングを低減することから生じる。たとえば、アクセスポイントＢＳは特定のタイプのアクセスポイント用に予約された識別子（ＩＤ）に関連付けられる。そのようなＢＳは、ＢＳによってサービスされるセル内で送信されるパイロット／捕捉信号とともに（１つまたは複数の）ＩＤをブロードキャストする。したがって、パイロット／捕捉信号を受信したＵＴは、含まれているＩＤに基づいて特定のタイプのアクセスポイントを識別する。適切に構成されたＵＴは、次に、ＩＤタイプに基づいてアクセスポイントと選択的に対話する。
【００３３】
上記を説明するために、１つの例示的な実装形態は、特定のタイプのネットワークアクセスポイント用の固有のパブリックランドモバイルネットワーク（ＰＬＭＮ）ＩＤのセットを確立することを含む。たとえば、ＨＮＢ用、ＷｉＭＡＸアクセスポイント用、ＷｉＦｉアクセスポイント用、および／またはコアモバイル通信ネットワーク（たとえば、第３世代パートナーシッププロジェクト［３ＧＰＰ］ネットワーク）へのワイヤレスアクセスを与える同様のアクセスポイント用に、異なるＰＬＭＮ  ＩＤを予約する。アクセスポイントは、リモート端末にアクセスポイントタイプについて通知するために、関連する予約済みＰＬＭＮ  ＩＤをブロードキャストする。タイプによってアクセスポイントを区別するように構成された端末は、キャンプすべきまたはサービスを要求すべき特定のタイプのアクセスポイントを選択する。代替的に、または上記に加えて、予約済みＰＬＭＮ  ＩＤは事業者のＰＬＭＮ  ＩＤの等価物としてネットワークによって送信する。端末は次いで、あたかもそのようなアクセスポイントが事業者のＰＬＭＮ  ＩＤに関連しているかのように、等価ＰＬＭＮ  ＩＤに関連するアクセスポイントにキャンプし、および／またはサービスを要求する。そのような方法で、アクセスポイントのタイプを区別するためにＩＤを使用するように構成されていないレガシー端末は、ネットワークによって提供される等価の予約済みＰＬＭＮ  ＩＤに基づいて（たとえば、アクティブなサブスクリプションに関連する）特定のアクセスポイントのみと効果的に対話する。
【００３４】
上記に加えて、ネットワーク領域は、地理的エリア、ネットワークエリア、ルーティングエリア、登録エリアなどに基づいてアクセスポイントネットワークの部分を区別するように定義される。したがって、たとえば、国内でのＨＮＢの展開は国の様々な地理的領域にセグメント化でき、特定の地理的領域内のＨＮＢは登録エリアＩＤに関連する。したがって、いくつかの例では、領域は、地理的境界（たとえば、緯度／経度、湖、川、山、海、峡谷などの地形上の特徴）または法律上の／政治的な境界（たとえば、市町村、郡、州、省など）に基づいて確立される。代替的に、または追加として、領域は、ネットワーク境界（たとえば、登録エリア識別子、位置登録エリア識別子［ＬＡＩ］、ルーティングエリア識別子［ＲＡＩ］、追跡エリア識別子［ＴＡＩ］）に関して確立される。したがって、たとえば、領域は、ネットワークアクセスエリア、ネットワーク登録エリア、ネットワーク追跡エリア、ネットワーク位置登録エリアなどに基づいて確立される。
【００３５】
上記に加えて、アクセスポイントネットワークがホーム、好適および／または限定ＢＳ（たとえば、ホームＨＮＢ）を備える場合、（１つまたは複数の）ホーム領域はＵＴのために確立され、ＵＴがホーム／好適／非限定アクセスポイントとの遭遇を予想することができるネットワークおよび／または地理的領域を定義する。したがって、加入者のホームＨＮＢが常駐する領域はホーム領域／エリアとして確立される。ＵＴがホーム領域内にあるとき、ホームアクセスポイントを備える特定のタイプのアクセスポイントをネットワークインターフェース機能（たとえば、セル探索、ハンドオフおよび／またはアクセス要求機能）に含める。したがって、たとえば、ＵＴがホームＨＮＢを含む領域に入った場合、ＵＴはＨＮＢをそのような機能に含める。他の領域では、ＨＮＢを無視して、非ホーム領域におけるシグナリングオーバーヘッドを低減する。上述のように、ＨＮＢは、ＨＮＢに関連する予約済みＰＬＭＮ  ＩＤ、または事業者等価物として確立されている予約済みＰＬＭＮ  ＩＤ、またはその両方に基づいて識別される。
【００３６】
ホーム／好適アクセスポイントを識別する可能性を高めるために、主題の開示は、アクセスポイントタイプに基づいてアクセスポイントを探索し、それにキャンプし、またはハンドオフする可能性に重み付けするデバイスパラメータ化(device parameterization)を提供する。パラメータ化は、特定のアクセスポイントＩＤ（たとえば、ＨＮＢ  ＩＤ、ＷｉＦｉ  ＩＤ、マクロネットワークＩＤなど）に関連するアクセスポイントおよび／または周波数チャネルに相対優先度を与える優先度階層（たとえば、階層セル構造［ＨＣＳ］）を確立する。結果として、高優先度タイプのアクセスポイントに接続したとき、端末は、より低い優先度の他のアクセスポイントを探索し、より低い優先度のアクセスポイントに関連する周波数を探索し、および／またはより低い優先度のアクセスポイントにハンドオフする可能性が低くなる。同様に、中または低優先度タイプのアクセスポイントに接続したとき、端末は、より高い優先度アクセスポイントを探索し、それにチャネル周波数を切り替え、および／またはハンドオフする可能性が高くなる。そのようなパラメータ化は、さらに、端末を様々なタイプのアクセスポイントの間で負荷分散するために利用できる。
【００３７】
主題の開示の他の態様によれば、端末は、オーバーヘッドシグナリングをさらに低減するためにアクセス履歴を追跡する。したがって、ＵＴがサービスの要求をアクセスポイントに送信し、要求が拒否された場合、ＵＴは、アクセスポイントのセルＩＤ、アクセスポイントの位置、または他の識別情報を追跡する。追跡されたＩＤ／位置にその後遭遇した場合、無駄なシグナリングを回避するためにアクセスポイントは無視される。
【００３８】
さらなる態様によれば、アクセス拒否を受信した時に、ＵＴは遅延期間またはペナルティ期間を実装することができる。遅延／ペナルティ期間は、同じタイプまたはカテゴリのアクセスポイントを、拒否しているアクセスポイントとして所定時間の間、無視することを含むことができる。これは、たとえば、ＵＴが近位の外部ＨＮＢであるとき、急速なピンポンシグナリングを低減することができる。
【００３９】
別の態様では、拒否の後にアクセスが成功する可能性を高めるために、ＵＴは、アクセス拒否を受信した時に、ＧＡアクセスポイントによって使用される周波数チャネルに切り替える。一方、アクセス要求が許可された場合、ＵＴは、接続したアクセスポイントがＧＡ  ＢＳ（たとえば、マクロネットワークＢＳ）であるかどうかを最初に判断する。ＧＡ  ＢＳでない場合、ホームＲＡ  ＢＳが（アクセスを拒否するか、またはＵＴへの制限されたアクセスを与える）多数の外部ＲＡ  ＢＳの近くに位置することが珍しくないので、ＵＴは、許可している非ＧＡアクセスポイントのセルＩＤ、セル位置などを追跡する。セルＩＤ／位置情報は、後続の時間に許可しているアクセスポイントを識別するために記憶され、利用される。その後、許可している非ＧＡアクセスポイントが識別されると、（たとえば、上述のように）そのアクセスポイントに高い優先度を与えるか、または（少なくとも最小しきい値信号強度、信号品質などの範囲内で）他のアクセスポイントを除外して、そのアクセスポイントを利用する。ＵＴへのアクセスを許可および／または拒否するアクセスポイントを追跡することによって、無駄なシグナリングの著しい低減を達成し、より効率的なモバイル通信を提供することができる。
【００４０】
本明細書で説明する技法は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、ＳＣ−ＦＤＭＡ（シングルキャリアＦＤＭＡ）および他のシステムなど、様々なワイヤレス通信システムに使用できる。「システム」および「ネットワーク」という用語は、しばしば互換的に使用される。ＣＤＭＡシステムは、ユニバーサル地上無線アクセス（ＵＴＲＡ）、ＣＤＭＡ２０００などの無線技術を実装することができる。ＵＴＲＡは広帯域ＣＤＭＡ（Ｗ−ＣＤＭＡ）およびＣＤＭＡの他の変形を含む。ＣＤＭＡ２０００は、ＩＳ−２０００、ＩＳ−９５およびＩＳ−８５６規格をカバーする。ＴＤＭＡシステムは広域移動通信システム（ＧＳＭ）などの無線技術を実装することができる。ＯＦＤＭＡシステムは、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡはユニバーサル移動通信システム（ＵＭＴＳ）の一部である。ＬＴＥ（ロングタームエボリューション）は、Ｅ−ＵＴＲＡを使用するＵＭＴＳの今度のリリースであり、これは、ダウンリンク上ではＯＦＤＭＡを使用し、アップリンク上ではＳＣ−ＦＤＭＡを使用する。ＵＴＲＡ、Ｅ−ＵＴＲＡ、ＵＭＴＳ、ＬＴＥおよびＧＳＭは、「第３世代パートナーシッププロジェクト」（３ＧＰＰ）という名称の組織からの文書に記載されている。ＣＤＭＡ２０００およびＵＭＢは、「第３世代パートナーシッププロジェクト２」（３ＧＰＰ２）という名称の組織からの文書に記載されている。
【００４１】
主題の開示で使用する「構成要素」、「システム」、「モジュール」などの用語は、ハードウェア、ソフトウェア、実行中のソフトウェア、ファームウェア、ミドルウェア、マイクロコード、および／またはそれらの任意の組合せなど、コンピュータ関連のエンティティを指すものとする。たとえば、モジュールは、プロセッサ上で動作するプロセス、プロセッサ、オブジェクト、実行可能ファイル、実行スレッド、プログラム、デバイス、および／またはコンピュータとすることができるが、これらに限定されない。１つまたは複数のモジュールがプロセスおよび／または実行スレッド内に常駐することができ、モジュールは、１つの電子デバイス上に配置すること、および／または２つ以上の電子デバイス間に分散させることが可能である。さらに、これらのモジュールは、様々なデータ構造を記憶している様々なコンピュータ可読媒体から実行することができる。これらのモジュールは、たとえば、１つまたは複数のデータパケット（たとえば、ローカルシステム、分散システム内の別の構成要素と対話する、および／またはインターネットなどのネットワーク上で信号を介して他のシステムと対話する１つの構成要素からのデータ）を有する信号に従ってローカルプロセスおよび／またはリモートプロセスを介して通信することができる。さらに、当業者なら諒解するように、本明細書で説明するシステムの構成要素またはモジュールは、それに関して説明する様々な態様、目的、利点などを達成することができるように追加の構成要素／モジュール／システムによって再構成および／または補完でき、所与の図に記載のままの構成に限定されない。
【００４２】
さらに、様々な態様についてユーザ端末ＵＴに関して本明細書で説明する。ＵＴは、システム、加入者ユニット、加入者局、移動局、モバイル、モバイル通信デバイス、モバイルデバイス、リモート局、リモート端末、アクセス端末（ＡＴ）、ユーザエージェント（ＵＡ）、ユーザデバイス、またはユーザ装置（ＵＥ）などと呼ばれることもある。加入者局は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、または処理デバイスとのワイヤレス通信を可能にするワイヤレスモデムもしくは同様の機構に接続された他の処理デバイスとすることができる。
【００４３】
１つまたは複数の例示的な実施形態では、説明する機能は、ハードウェア、ソフトウェア、ファームウェア、ミドルウェア、マイクロコード、またはそれらの適切な組合せで実装することができる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、コンピュータ記憶媒体とハードウェア通信媒体とを含むコンピュータ可読ハードウェアと、ある場所から別の場所へのコンピュータプログラムの転送を可能にするソフトウェア、ミドルウェア、ファームウェア、マイクロコードおよび／またはハードウェア媒体を含む通信媒体とを備える。
【００４４】
本明細書で利用するコンピュータ記憶媒体は、コンピュータによってアクセスできる任意の物理媒体である。限定ではなく例として、そのような記憶媒体は、ＲＡＭ、ＲＯＭ、ＥＥＰＲＯＭ、ＣＤ−ＲＯＭまたは他の光ディスク記憶装置、磁気ディスク記憶装置または他の磁気記憶装置、スマートカード、およびフラッシュメモリデバイス（たとえば、カード、スティック、キードライブ．．．）、あるいは命令またはデータ構造の形態のプログラムコードを搬送または記憶するために使用でき、コンピュータによってアクセスできる任意の他の適切な媒体を備えることができる。ハードウェア通信媒体は、電気、機械および／または電気機械ハードウェアを少なくとも部分的に利用して、あるエンティティから別のエンティティへのコンピュータプログラムの転送を可能にする任意の適切なデバイスまたはデータ接続を含むことができる。一般に、データ接続は、正しくはコンピュータ可読媒体とも呼ばれる。たとえば、プログラム、ソフトウェアまたは他のデータが、同軸ケーブル、光ファイバケーブル、ツイストペア、デジタル加入者回線（ＤＳＬ）、通信バス構造、イーサネット、または赤外線、無線、およびマイクロ波などのワイヤレス技術を使用してウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれ、そのような媒体に関連する任意の適切なハードウェア構成要素は、ハードウェア通信媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、この場合、ディスク（disk）は、通常、データを磁気的に再生し、ディスク（disc）はデータをレーザで光学的に再生する。上記の組合せもコンピュータ可読媒体の範囲内に含めるべきである。
【００４５】
ハードウェア実装の場合、本明細書で開示する態様に関して説明する処理ユニットの様々な例示的な論理、論理ブロック、モジュール、および回路は、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、個別ゲートまたはトランジスタ論理、個別ハードウェア構成要素、汎用プロセッサ、コントローラ、マイクロコントローラ、マイクロプロセッサ、本明細書で説明する機能を実行するように設計された他の電子ユニット、またはそれらの組合せの中で実装または実行できる。汎用プロセッサはマイクロプロセッサとすることができるが、代替として、プロセッサは、任意の従来のプロセッサ、コントローラ、マイクロコントローラ、または状態マシンとすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他の適切な構成としても実装できる。さらに、少なくとも１つのプロセッサは、本明細書で説明するステップおよび／または動作の１つまたは複数を実行するように動作可能な１つまたは複数のモジュールを備えることができる。
【００４６】
さらに、本明細書で説明する様々な態様または特徴は、標準のプログラミングおよび／またはエンジニアリング技法を使用した方法、装置、または製造品として実装できる。さらに、本明細書で開示する態様に関して説明する方法またはアルゴリズムのステップおよび／または動作は、直接ハードウェアで実施するか、プロセッサによって実行されるソフトウェアモジュールで実施するか、またはその２つの組合せで実施することができる。さらに、いくつかの態様では、方法またはアルゴリズムのステップおよび／または動作は、コンピュータプログラム製品に組み込むことができるデバイス可読媒体、機械可読媒体および／またはコンピュータ可読媒体上のコードおよび／または命令の少なくとも１つまたは任意の組合せもしくはセットとして常駐することができる。本明細書で使用する「製造品」という用語は、任意のコンピュータ可読デバイスまたは媒体からアクセス可能なコンピュータプログラムを包含するものとする。
【００４７】
さらに、「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。むしろ、例示的という単語の使用は、概念を具体的な形で提示するものである。本出願および添付の特許請求の範囲で使用する「または」という用語は、排他的な「または」ではなく、包括的な「または」を意味するものとする。すなわち、別段の規定がない限り、または文脈から明白でない限り、「ＸはＡまたはＢを使用する」という表現は、自然な包括的置換のいずれかを意味するものとする。すなわち、ＸがＡを使用するか、ＸがＢを使用するか、またはＸがＡとＢの両方を使用する場合、「ＸはＡまたはＢを使用する」は上記の例のいずれの下でも満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００４８】
本明細書で使用する「推論する(infer)」または「推論」という用語は、概して、事象および／またはデータを介して捕捉される観察のセットから、システム、環境、および／またはユーザの状態を推理または推論するプロセスを指す。推論は、特定のコンテキストまたは動作を識別するために使用でき、あるいは、たとえば、状態の確率分布(probability distribution)を生成することができる。推論は、確率的、すなわち、データおよび事象の考察に基づく当該の状態の確率分布の計算とすることができる。推論は、事象および／またはデータのセットからより高いレベルの事象を構成するために採用される技法を指すこともある。そのような推論から、事象が時間的に緊切して相関するか否かにかかわらず、および事象およびデータが１つまたは複数の事象およびデータの発生源に由来するかどうかにかかわらず、観察された事象および／または記憶された事象データのセットから新しい事象または動作が構成される。
【００４９】
図面を参照すると、図１は、様々な開示する実施形態および態様を実装することができる、いくつかのユーザをサポートするように構成された例示的なワイヤレス通信システム１００を示す。図１に示すように、システム１００は、マクロセル１０２ａ、１０２ｂ、１０２ｃ、１０２ｄ、１０２ｅ、１０２ｆ、１０２ｇ（代替的に、マクロセル１０２ａ〜１０２ｇ）など、複数のセルの通信を可能にし、各セルは、対応するアクセスポイント（ＡＰ）１０４ａ、１０４ｂ、１０４ｃ、１０４ｄ、１０４ｅ、１０４ｆ、１０４ｇ（代替的に、ＡＰ１０４ａ〜１０４ｇ）によってサービスされる。各セル１０２ａ〜１０２ｇは、さらに１つまたは複数のセクタに分割される。様々なＵＴ１０６ａ、１０６ｂ、１０６ｃ、１０６ｄ、１０６ｅ、１０６ｆ、１０６ｇ、１０６ｈ、１０６ｉ、１０６ｊ、１０６ｋ（代替的に、ＵＴ１０６ａ〜１０６ｋ）は、システム１００全体に分散している。各ＡＴ１０６ａ〜１０６ｋは、たとえば、ＡＴ（１０６ａ〜１０６ｋ）がアクティブかどうか、またはＡＴがソフトハンドオフ中であるかどうかに応じて、所与の時点において順方向リンク（ＦＬ）および／または逆方向リンク（ＲＬ）上の１つまたは複数のＡＰ１０４ａ〜１０４ｇと通信する。ワイヤレス通信システム１００は大きい地理的エリアにわたってサービスを提供し、たとえば、マクロセル１０２ａ〜１０２ｇは近傍の数個のブロックをカバーする。
【００５０】
図２に、ネットワーク環境内でアクセスポイントＢＳ（たとえば、ＨＮＢ）の展開を可能にする例示的な通信システム２００を示す。システム２００は、ＨＮＢ２１０を含む複数のアクセスポイントＢＳを含み、アクセスポイントＢＳの各々は、対応する小規模ネットワーク環境に設置される。小規模ネットワーク環境の例には、ユーザ居住地、事業所、屋内／屋外設備２３０などがある。ＨＮＢ２１０は、（たとえば、ＨＮＢ２１０に関連するＣＳＧ中に含まれる）関連するＵＴ２２０、または随意に（たとえば、ＨＮＢ２１０のＣＳＧ用に構成されていない）外来またはビジターＵＴ２２０にサービスするように構成される。各ＨＮＢ２１０は、さらに、ＤＳＬルータ（図示せず）、あるいは、代替的に、ケーブルモデム、電力線を介したブロードバンド接続、衛星インターネット接続、または同様のブロードバンドインターネット接続（図示せず）を介してインターネット２４０とモバイル事業者コアネットワーク２５０とに結合される。
【００５１】
ＨＮＢ２１０を介したワイヤレスサービスを実施するために、ＨＮＢ２１０の所有者は、モバイル事業者コアネットワーク２５０を介して提供される、３Ｇモバイルサービスなどのモバイルサービスに加入する。また、ＵＥ２２０は、本明細書で説明する様々な技法を利用して、マクロセルラー環境および／または宅内小規模ネットワーク環境において動作することができる。したがって、少なくともいくつかの開示する態様では、ＨＮＢ２１０は任意の適切な既存のＵＥ２２０と後方互換性がある。さらに、マクロセルモバイルネットワーク２５０に加えて、ＵＥ２２０は、所定数のＨＮＢ２１０、特に、対応する（１つまたは複数の）ユーザ居住地、（１つまたは複数の）事業所、または屋内／屋外設備２３０内に常駐するＨＮＢ２１０によってサービスされ、マクロネットワーク２５０とのソフトハンドオーバ状態になることはない。本明細書で説明する態様は３ＧＰＰ用語を採用しているが、態様は、３ＧＰＰ技術（リリース９９［Ｒｅｌ９９］、Ｒｅｌ５、Ｒｅｌ６、Ｒｅｌ７）、ならびに３ＧＰＰ２技術（１ｘＲＴＴ、１ｘＥＶ−ＤＯ  Ｒｅｌ０、ＲｅｖＡ、ＲｅｖＢ）および他の知られている関連する技術にも適用できることを理解すべきであることを諒解されたい。
【００５２】
図３に、種々のタイプまたはカテゴリのアクセスポイントを備えるモバイルネットワークへのアクセスを可能にすることができる例示的なシステム３００のブロック図を示す。いくつかの態様では、システム３００はＧＡマクロＢＳをモバイルネットワークへのデフォルトアクセスポイントとして確立する。同じくモバイルネットワークとのワイヤレス通信を可能にすることができる、ＨＮＢ、ＷｉＦｉアクセスポイント、ＷｉＭＡＸアクセスポイントなど、種々のタイプのアクセスポイントを、専用アクセスポイントとして確立する。固有のＩＤは、あるタイプのアクセスポイントを他のタイプと区別するために、各タイプの専用アクセスポイント用に予約される。ＵＴ３０４が専用アクセスポイントに関係するサブスクリプションを有する場合、そのようなアクセスポイントのタイプに関連するＩＤをＵＴ３０４に与える。いくつかの態様によれば、ＩＤは、デフォルトＧＡマクロＢＳに関連するＩＤの等価物として確立される。したがって、専用アクセスポイントＩＤを特定するように構成されていないレガシーＵＴ（３０４）は、少なくともいくつかの状況において、専用アクセスポイントをデフォルトアクセスポイントの等価物として利用することができる。
【００５３】
システム３００は、リモート端末デバイス（たとえば、ＵＴ３０４）のためのモバイルネットワーク（図示せず）へのワイヤレスアクセスを可能にするＢＳ３０２を備える。ＢＳ３０２は、そのような端末デバイス（３０４）とともにワイヤレスデータを送信および受信するように構成されたトランシーバ３０６を使用する。そのような通信を可能にするために、通信プロセッサ３１２は、ＢＳ３０２に関連するアクセスポイントタイプＩＤを取得する。アクセスポイントタイプＩＤは、トランシーバ３０６によって送信される信号中に含められる。そのような信号を受信するＵＴ３０４は、ＩＤからＢＳ３０２のタイプを判断し、ＢＳのタイプに少なくとも部分的に基づいてＢＳ３０２にアクセスすべきかどうかを判断する。したがって、たとえば、タイプＩＤがデフォルトタイプ（たとえば、サービス事業者のＰＬＭＮ  ＩＤ）であるか、あるいはＵＴ３０４がアクティブなサブスクリプションを有するか、または他の方法で構成され、アクセスを許可される専用タイプである場合、ＵＴ３０４は、ＢＳ３０２にハンドオフし、および／またはネットワークサービスをそのようなＢＳ３０２に要求する。さもなければ、タイプＩＤがＵＴ３０４によって認識されないか、または無許可のタイプのＢＳに関連する場合、ＵＴ３０４は、処理能力およびバッテリ寿命を保つために、ＢＳ３０２へのシグナリングを控える。
【００５４】
主題の開示のいくつかの態様では、システム３００はモバイルネットワークへの領域ベースのアクセスを与える。そのような態様では、地理的領域（たとえば、法律および／または地形上の境界によって示される）またはネットワーク領域（たとえば、登録エリア識別子、ＬＡＩ、ＲＡＩ）が確立される。特定領域内に含まれるアクセスポイントはその領域の部分と考えられ、その領域に固有のＩＤが割り当てられる。いくつかの態様では、アクセスポイントタイプにかかわらず、単一の領域のセットをすべてのアクセスポイントに割り当てる。他の態様では、複数の領域のセット（そのうちの一部は重なることができる）を種々のタイプのアクセスポイントネットワークに割り当てる。したがって、たとえば、ある領域のセットおよび関連するＩＤがＨＮＢのために確立され、別の領域のセットおよびＩＤがマクロＢＳのために確立される。ネットワークＩＤ（たとえば、事業者のＰＬＭＮ  ＩＤ）に加えて、各アクセスポイントに、アクセスポイントが位置するＩＤが割り当てられる。
【００５５】
主題の開示のいくつかの態様では、ＩＤは、訪問先ＰＬＭＮ  ＩＤ内での領域限定ローミングに使用される領域サブスクリプションデータを備える。そのような態様では、各領域は固有の領域サブスクリプションデータを有し、そのような各領域を他の領域と区別する。領域のサブセットは、加入者のホームまたは好適な領域／登録エリアとして選択される。たとえばネットワーク事業者によって維持される加入者のプロファイルは、ホームマクロネットワークＢＳ、訪問先マクロネットワークＢＳのＩＤ（たとえば、ＰＬＭＮ  ＩＤ）、ならびに加入者の端末（３０４）によって使用可能な専用アクセスポイント(specialized access points)のＩＤを備える。各専用アクセスポイントのホーム／好適な領域は、各専用アクセスポイントＩＤ（たとえば、そのようなタイプのアクセスポイント用に予約されたＰＬＭＮ  ＩＤ）に関連する領域サブスクリプションデータフィールドに書き込まれる。したがって、一例として、ＵＴ３０４が構成され、特定のネットワーク事業者ならびにＨＮＢのセットに関連するマクロＢＳへのアクセスが許可される場合、ＵＴ３０４に関連する加入者プロファイル（３１６）は、ネットワーク事業者用のＰＬＭＮ  ＩＤならびにＨＮＢ用に予約された専用ＰＬＭＮ  ＩＤを含む。さらに、（たとえば、ＵＴ３０４に関連するホームＨＮＢが位置する）任意の（１つまたは複数の）ＨＮＢホーム領域に関連する（１つまたは複数の）ＩＤがプロファイル（３１６）の領域サブスクリプションデータフィールドに書き込まれ、そのような領域の効率的な識別を行う。
【００５６】
ＵＴ３０４がネットワークへのアクセスを要求するとき、ＢＳ３０２は、ＵＴ３０４に関連する識別子（たとえば、モバイル加入者識別子［ＭＳＩ］、国際モバイル加入者識別子［ＩＭＳＩ］、ネットワーク指定識別子など）を取得する。照会モジュール(query module)３０８は、ＵＴ  ＩＤを使用して、ネットワークデータストア３１４からＵＴ３０４に関連する加入者プロファイル３１６を取得する。分析モジュール３１０は、プロファイル３１６からアクセスポイントＩＤおよび領域／登録エリアＩＤ情報を取得する。そのような情報に基づいて、分析モジュール３１０は、ＵＴ３０４がいずれかの専用アクセスポイントに関連するかどうかを判断し、そうであれば、いずれかのホーム領域が指定されるかどうかを判断する。ＢＳ３０２がプロファイル３１６によって識別されたホーム領域内にある場合、ＵＴ３０４がホーム領域内にある間、そのようなアクセスポイントを介したモバイルネットワークとのインターフェースを可能にするために、ＢＳ３０２によって専用アクセスポイントＩＤをＵＴ３０４に送信する。ＢＳ３０２がプロファイル３１６によって識別されたホーム領域内にない場合、マクロネットワークＩＤのみがＵＴ３０４に送信される。
【００５７】
説明したように、領域アクセスはＵＴ３０４のより効率的なモビリティを可能にする。具体的に言うと、特定のタイプのＢＳ（３０２）を使用する許可がホーム領域内にあることを必要とする場合、ＵＴ３０４は、ホーム領域にあるときにのみ、そのタイプのＢＳと選択的に対話する。ホーム領域外にあるとき、特定のタイプのＢＳ（３０２）を無視して、ＵＴ３０４のシグナリングオーバーヘッドを低減させる。
【００５８】
図４は例示的なネットワーク環境４００のブロック図を示す。ネットワーク環境４００は、いくつかのネットワーク領域、４０８Ａ、４０８Ｂ、４０８Ｃ、４０８Ｄ（４０８Ａ〜４０８Ｄ）を備える。ネットワーク領域は、本明細書で説明するように、地理的エリアまたはネットワークエリアによって定義される。さらに、ネットワーク領域４０８Ａ〜４０８Ｄは、ワイヤレス通信サービスを提供するために、コアモバイルネットワーク（図示せず）に結合された異なるモバイルネットワークアクセスポイントを含む。特定領域内に位置するアクセスポイントは、そのような領域の部分と見なされ、領域のＩＤを割り当てられる。さらに、アクセスポイントは、本明細書で説明するように、アクセスポイントタイプ（たとえば、ＧＡ、ＲＡ、部分リソース再使用または完全リソース再使用、送信電力、セルサイズなど）に少なくとも部分的に基づいてＩＤを割り当てられる。
【００５９】
図示のように、ネットワーク環境４００は、専用アクセスポイントを含む少なくとも４つのネットワーク領域４０８Ａ〜４０８Ｄを備える。専用アクセスポイントは、本明細書で説明するように、ワイヤレスインターフェースをモバイル事業者のネットワークに直接または間接的に与える、非マクロＢＳを含む。しかしながら、簡単のために、ネットワーク環境４００の以下の説明では、そのようなアクセスポイントをＨＮＢと呼ぶが、他のそのようなアクセスポイントが企図され、当業者であれば諒解するように、以下で与えるＨＮＢに特有の機能の説明の代わりに、そのような他のアクセスポイントに適する機能の説明を使用できることを諒解されたい。
【００６０】
図示の領域４０８Ａ〜４０８Ｄは、ＵＴ４０４とのアクセス関係に応じて標示されている。したがって、領域４０８Ａ〜４０８Ｄは、ホームＨＮＢ４０６Ａを有する第１のホームＰＬＭＮ領域４０８Ａと、（ホームＨＮＢを有しない）第１および第２の外部ＰＬＭＮ領域４０８Ｂ、４０８Ｃと、（ホームＨＮＢ４０６Ｂを有する）第２のホームＰＬＭＮ領域４０８Ｄとを備える。ホームＨＮＢ４０６Ａ、４０６Ｂは、ホームＨＮＢ４０６Ａ、４０６Ｂの利用を許可された、ＣＳＧに記載されているＵＴ（４０４）を備える（１つのそのようなＵＴはＵＴ４０４である）。ＣＳＧ内に含まれないＵＴには、制限されたネットワークアクセス／通信サービスのみが提供されるか、またはネットワークアクセス／通信サービスが提供されない。同様に、ＣＳＧ内に含まれるＵＴは完全なネットワークアクセス／通信サービスを提供される。
【００６１】
ＵＴ４０４は、ネットワーク環境４００全体にわたって動いていくにつれて、マクロネットワークアクセスポイント４０２から通信サービスを取得する。しかしながら、ＵＴ４０４は、しばしばホームＨＮＢ４０６Ａ、４０６Ｂから優遇的なサービス（たとえば、増加した帯域幅、増加したデータ転送速度、より高いサービス品質、低減された料金プランなど）を取得する。さらに、ホームＨＮＢ４０６Ａ、４０６Ｂを利用することによって、マクロネットワーク負荷が低減される。したがって、可能な場合は、ＵＴ４０４がホームＨＮＢ４０６Ａ、４０６Ｂからアクセスを取得することが有益である。
【００６２】
レガシーネットワークパラメータの下で、ＵＴ４０４は、マクロＢＳ４０２と実質的に同様の方法でホームＨＮＢ４０６Ａ、４０６Ｂとインターフェースする。したがって、ＵＴ４０４は、最も強い信号を探索し、最も強いまたは最高品質の信号を与える、いずれかのＢＳ（４０２、４０６Ａ、４０６Ｂ）にキャンプし／アクセスを要求する。ＰＬＭＮ領域４０８Ａ〜４０８Ｄの外部が専用アクセスポイントを備えるとき、マクロネットワークは、おそらく最良の信号を与え、典型的にはＵＴ４０４によって選択される。しかしながら、ＵＴ４０４が、１つまたは複数のＨＮＢ（４０６Ａ、４０６Ｂ）を備える領域（４０８Ａ〜４０８Ｄ）に近位である場合、近くのＨＮＢは遠くのマクロＢＳ４０２よりもはるかに良好な信号特性を有する。したがって、ＵＴ４０４は、ＨＮＢを探索し、ＨＮＢにキャンプし、アクセスを要求する可能性が高くなる。ＨＮＢの展開は、典型的には、ホームＨＮＢよりもはるかに多くの外部ＨＮＢ（たとえば、ＵＴ４０４がＣＳＧ中に含まれない）を含むので、ＵＴ４０４は、最も強い近くの信号へのアクセスを試みる際に多数のアクセス拒否にさらされる。そのような結果は、著しい処理オーバーヘッドおよびＵＴ４０４のバッテリ寿命の低減をもたらす。
【００６３】
上記の問題を緩和するために、たとえば、事業者ＰＬＭＮ  ＩＤの中で一意である専用ＰＬＭＮ  ＩＤをＨＮＢアクセスポイントのために予約する。専用ＰＬＭＮ  ＩＤがＵＴ４０４に送信されると、ＵＴ４０４は、そのようなＰＬＭＮ  ＩＤをブロードキャストするアクセスポイントへのアクセスまたはハンドオフを試みる。さらに、領域４０８Ａ〜４０８Ｄは、固有の領域または登録エリアＩＤに関連付けられる。ＨＮＢワイヤレスサブスクリプションへの加入時に、ＵＴ４０４のユーザプロファイルは、ホームＨＮＢが常駐する１つまたは複数のＰＬＭＮ領域に関連付けられる。一般に、ＵＴ４０４が外部ＰＬＭＮ領域（４０６Ｂ、４０６Ｃ）内にあるとき、ネットワーク４００は専用ＰＬＭＮ  ＩＤをＵＴ４０４に送信せず、そのようなＰＬＭＮ  ＩＤを備える信号は無視され、ＵＴ４０４にサービスを提供しない外部ＨＮＢへのオーバーヘッドシグナリングを低減する。しかしながら、ＵＴ４０４が（１つまたは複数の）ホームＰＬＭＮ領域４０６Ａ、４０６Ｄ内にあるとき、ネットワーク４００は専用ＰＬＭＮ  ＩＤをＵＴ４０４に送信する。したがって、ホームＰＬＭＮ領域４０６Ａ、４０６Ｄ内で、ＵＴ４０４は、ＨＮＢ４０６Ａ、４０６Ｂ、ならびにマクロネットワーク４０２を探索し、それにアクセスを要求する。
【００６４】
いくつかの態様によれば、領域アクセスを与える方法はＵＴ４０４の機能に基づく。たとえば、ＵＴ４０４が、ＨＮＢ（４０６Ａ、４０６Ｂ）とマクロネットワーク４０２とを区別するためにアクセスポイントＩＤを使用できることを加入者プロファイル情報が示す場合、専用ＰＬＭＮ  ＩＤをＵＴ４０４に直接送信する。しかしながら、加入者プロファイル情報がそのような機能を示さない場合、専用ＰＬＭＮ  ＩＤが事業者のＰＬＭＮ  ＩＤの等価物として送信される。したがって、レガシーＵＴ（４０４）は、ホーム領域にあるときに、ＨＮＢをマクロＢＳ（４０２）として扱い、ＨＮＢまたはマクロＢＳ（４０２）のいずれかによってネットワークへのアクセスを試みる。
【００６５】
主題の開示のさらなる態様によれば、ネットワーク４００は、さらに、ＵＴ４０４が、マクロネットワークを介してＨＮＢを見つけ、ＨＮＢにアクセスする可能性、またはその逆の可能性を高めるように構成されたパラメータを与える。したがって、ＵＴ４０４がホームＰＬＭＮ領域４０８Ａ、４０８Ｄ内にある場合、ＨＮＢに有利なパラメータを与える。一方、ＵＴ４０４が外部ＰＬＭＮ領域（４０８Ｂ、４０８Ｃ）内にあるか、または専用アクセスポイントを含む領域内にない場合、マクロＢＳ（４０２）に有利なパラメータを与える。パラメータは、好適なアクセスポイントの位置を特定するのに必要な平均時間を減少させ、好適なアクセスポイントにキャンプする／サービスを要求する可能性を高め、および／または好適でないアクセスポイントに対する、そのような可能性を低めるように構成できる（たとえば、以下の図６参照）。
【００６６】
主題の開示の少なくともいくつかの態様では、本明細書で説明するパラメータ化に加えて、ＵＴ４０４は、ホームＰＬＭＮ領域４０８Ａ、４０８Ｄ内でのホームＨＮＢ４０６Ａ、４０６Ｂの検出を改善するように構成できる。一例では、ＵＴ４０４は、ＵＴ４０４へのネットワークアクセスを拒否するＨＮＢのＩＤおよび／またはそのようなＨＮＢの位置を（たとえば、ＧＰＳ位置、最も近いマクロＢＳの位置などに基づいて）記録する。ＩＤ／位置は限定リストまたはブラックリスト中に含められる。どのＨＮＢが限定されているかを「覚えている」ことによって、ＵＴ４０４は、限定リスト上のＨＮＢ  ＩＤへのシグナリングを回避して、シグナリングを低減し、バッテリ電力を節約する。上記に加えて、ＵＴ４０４は、ＵＴ４０４へのアクセスを可能にするホームＨＮＢ４０６Ａ、４０６ＢのＨＮＢ  ＩＤおよび／または位置を記憶する。ホームＨＮＢ  ＩＤは優先リスト中に含めらる、ホームＨＮＢ  ＩＤを含む信号には、他の信号に勝る優先度を与えられる。したがって、ホームＨＮＢ  ＩＤを備える信号を受信するとき、またはホームＨＮＢの位置に実質的に一致する位置にあるとき、（たとえば、本明細書で説明するように、ホームＨＮＢからの信号が少なくとも低い相対しきい値を上回る限り）ＵＴ４０４は、ホームＨＮＢ４０６Ａ、４０６Ｂにキャンプするかまたはアクセスを要求し、他のＢＳの信号を無視する。
【００６７】
図５は、モバイルネットワークへの領域アクセスを与える例示的なシステム５００のブロック図を示す。システム５００は、リモート端末デバイスをコアモバイルネットワーク（たとえば、３ＧＰＰコアネットワーク）にワイヤレスに結合する、様々なタイプのアクセスポイントと基地局とを含む。領域アクセスは、端末デバイスの１つまたは複数のホーム領域に基づき、そのようなデバイスのアクセス機能に応じる。ＲＡがサポートされる場合、デバイスの（１つまたは複数の）ホーム領域が取得され、サービングアクセスポイントが位置する領域と比較される。アクセスポイント領域とホーム領域が一致する場合、デバイスは、ＲＡアクセスポイントの認識を可能にする情報を与える。さらに、特定のタイプのアクセスポイントを識別するか、または特定のタイプのアクセスポイントにキャンプする確率に重み付けするパラメータのセットをデバイスに与える。パラメータのセットは、好適なアクセスポイントまたはホームアクセスポイントを発見する可能性を高め、ならびに様々なタイプのアクセスポイントの間で負荷分散を行う。したがって、システム５００はモバイル通信の効率を高めることができる。
【００６８】
図示のように、システム５００は１つまたは複数のＢＳ５０２を備える。ＢＳ５０２は、リモートＵＴ（図示せず）からアクセス要求を取得する登録モジュール５０４を備える。ＵＴを識別する情報はアクセス要求から抽出でき、データ照会モジュール５０６に与えられる。データ照会モジュール５０６は、識別する情報を使用して、コアネットワーク５１２の構成要素から加入者プロファイル５１６を取得する。たとえば、データ照会モジュール５０６は、構成要素間プロトコル（たとえば、シグナリングシステム７［ＳＳ７］、モバイル応用部［ＭＡＰ］）を利用するシグナリングインターフェース５０８を使用して、ローカルネットワークレジストリおよび／またはデータストア５１０（たとえば、移動交換センター［ＭＳＣ］／ビジター位置レジストリ［ＶＬＲ］、サービング汎用パケット無線サービスサポートノード［ＳＧＳＮ］など）と通信する。ローカルレジストリ５１０は、ホーム加入者レジストリ５１４（たとえば、ＨＬＲ）に、ＵＴを識別する情報に関連する加入者データ（５１６）を要求する。加入者プロファイル５１６は、ネットワーク間通信（たとえば、ＭＡＰインターフェース）を利用してローカルレジストリ５１０に与えられ、データ照会モジュール５０６に転送される。
【００６９】
ＢＳ５０２が加入者プロファイル５１６を受信すると、領域ネットワークアクセスを実現するために、加入者プロファイル５１６からデータを抽出する。データ分析モジュール５１８は、アクセスポイントＩＤ、領域／ネットワークＩＤ情報およびサブスクリプションステータス情報、ならびにＵＴのアクセス機能（たとえば、ＵＴがＨＮＢアクセス、ＷｉＦｉアクセス、ＷｉＭＡＸアクセス、マクロネットワークアクセスなどに対して構成および／または許可されるかどうか）を取得するために、加入者プロファイル５１６を解析する。一例として、サービスプロバイダのネットワークに関連するＰＬＭＮ  ＩＤならびにＨＮＢに関連する専用ＰＬＭＮ  ＩＤは、要求元ＵＴがＨＮＢアクセスに対して構成される場合、プロファイル５１６から抽出される。さらに、専用ＰＬＭＮ  ＩＤに関連するホーム領域ＩＤも抽出される。要求に応答してネットワークアクセスをＵＴに与えるべきかどうかを判断するために、情報は登録モジュール５０４に与えられる。ＢＳ５０２がＲＡ  ＢＳである場合、登録モジュール５０４は、さらに、要求元ＵＴがＢＳ５０２の利用を許されるかどうか判断するためにＣＳＧ５２２をチェックする。
【００７０】
主題の開示のいくつかの態様では、ＢＳ５０２は、ＢＳ５０２が常駐する領域、および要求元ＵＴの機能に基づいて、要求元ＵＴにアクセスポイントＩＤ情報を与える選択的アクセスモジュール５２０を含む。選択的アクセスモジュール５２０は、たとえば、アクセスポイントタイプＩＤを加入者プロファイル５１６中に含まれるＵＴに与える。本明細書で説明するように、随意に、１つまたは複数のそのようなアクセスポイントタイプＩＤは、ＢＳ５０２がＵＴのホーム領域内にあるかどうか（プロファイル５１６で示される）に応じて省略できる。ＵＴが１つまたは複数の専用アクセスポイントを備える領域内にある場合、選択的アクセスモジュール５２０は、さらに、ＵＴが専用アクセスポイントＩＤに関連するアクセスポイントを探索し、それにアクセスおよび／またはハンドオフする確率を上げるように構成されたパラメータのセットをＵＴに与える。代替的に、ＢＳ５０２が専用アクセスポイントタイプに関連する領域にない場合、ＵＴがＧＡマクロＢＳを探索し、それにアクセスおよび／またはハンドオフする確率を上げる、異なるパラメータのセットをＵＴに与える。少なくともいくつかの態様によれば、ＵＴに与えられるパラメータのセットは、現在のネットワーク負荷に少なくとも部分的に基づく。したがって、たとえば、専用アクセスポイントに高い負荷がかかる場合、マクロＢＳに接続する確率を上げるパラメータをＵＴに送信する。同様に、マクロＢＳに高い負荷がかかり、ＵＴが１つまたは複数の専用アクセスポイント（たとえば、ＷｉＭＡＸ）に対して構成および／または許可される場合、専用アクセスポイントに接続する確率を上げるように構成されたパラメータのセットを代わりに与える。したがって、ＢＳ５０２は、異種タイプのそのようなアクセスポイントを備えるネットワークにおいて、様々なアクセスポイントの間の負荷分散に役立つことができる。
【００７１】
図６は、ネットワークＢＳ６０２によってＵＴ６０４に送信される例示的なパラメータ化レコード６０６のブロック図である。パラメータ化レコード６０６は、ＢＳ６０２によってサービスされるワイヤレス通信ネットワークのセクタ内でＢＳ６０２によってＵＴ６０４にブロードキャストするか、あるいは、特にＵＴ６０４またはそのようなＵＴ（６０４）のグループにユニキャストする。主題の開示のいくつかの態様によれば、パラメータ化レコード６０６は、ＵＴ６０４が特定のタイプのネットワークアクセスポイント（６０２）を探索し、獲得し、および／またはそのネットワークアクセスポイント（６０２）にハンドオフする可能性に重み付けする、しきい値パラメータを与える。したがって、パラメータ化レコード６０６は、ＲＡ  ＢＳおよびＧＡマクロＢＳなどの異種アクセスタイプＢＳ（６０２）を備えるネットワーク中で、ＵＴ（６０４）を１つまたは他のタイプのＢＳに向けるために利用される。好適なおよび／または好適でないＢＳ（６０２）の選択は、セクタ負荷、ＵＴ機能、セクタ間干渉などに基づく。
【００７２】
パラメータ化レコード６０６は、ワイヤレスアクセスネットワーク中でＢＳ６０２および近接するＢＳ（図示せず）の相対優先度を確立するＨＣＳパラメータ６０８を備える。ＨＣＳパラメータ６０８は、ＵＴ６０４のデフォルト探索パラメータを変更するためにセル探索パラメータ６１２に結合される。したがって、たとえば、ＨＣＳパラメータ６０８は、相対優先度（たとえば、数値的スケールなどの量的優先度、または高、中、低もしくは他の相対的インジケータなどの質的優先度を備える）を、異なるアクセスタイプ、異なる再使用タイプ（たとえば、完全再使用、部分再使用など）、異なる送信電力（たとえば、５０ワットのマクロセル、２５ワットのマイクロセル、５ワットのピコセル、１ワットのフェムトセル、またはネットワークセルサイズと送信電力の何らかの他の適切な組合せ）、異なるアクセス技術（たとえば、ワイヤレスフィデリティー［ＷｉＦｉ］、ワールドワイドインターオペラビリティフォーマイクロウェーブアクセス［ＷｉＭＡＸ］、認可されたセルラー無線周波数）など、またはそれらの組合せのＢＳ（６０２）に与える。セル探索パラメータ６１２は、様々なタイプのＢＳ（６０２）の１つまたは複数の最小しきい値を確立し、（１つまたは複数の）しきい値より下では、ＵＴ６０４はＢＳタイプの第１のセットを探索し、（１つまたは複数の）しきい値より上では、ＵＴ６０４はＢＳタイプの第２のセットを探索する。いくつかの態様では、ＢＳタイプの（１つまたは複数の）セットはＨＣＳ優先度パラメータ６０８によって確立される。
【００７３】
上記の一例として、ＨＣＳパラメータ６０８は、任意の適切なタイプのＧＡ  ＢＳのための低優先度、部分再使用ＢＳ（たとえば、チャネルの帯域幅のすべてを使用する完全再使用ＢＳよりも効率的である、チャネルの帯域幅一部分のみを使用するマイクロまたはピコセル）のための中優先度、およびＨＮＢのための高優先度の３つの優先度を確立する。セル探索パラメータ６１２は、次いで（たとえば、ＧＡマクロセルＢＳなどの）低優先度ＢＳのための高い最小しきい値、中優先度ＢＳのための中程度の最小しきい値、および高優先度ＢＳのための低い最小しきい値を確立する。そのような場合では、ＵＴ６０４がサービスされるかまたはＨＮＢ上にキャンプしている場合、ＨＮＢの信号が低い最小しきい値を満たす限り、ＵＴ６０４は、他のＢＳを探索しないか、または随意に他の高優先度ＢＳ（たとえば、他のＨＮＢ）をのみ探索する。しかしながら、ＵＴ６０４が中優先度の部分再使用ＢＳによってサービスされる場合、部分再使用ＢＳの信号が中程度の最小しきい値を満たす限り、ＵＴ６０４は、高優先度ＢＳをのみ探索するか、または随意にサービング部分再使用ＢＳよりも良い信号を有する他の中優先度ＢＳを探索する。サービングＢＳが低優先度ＢＳである場合、信号強度が高い最小しきい値を満たすならば、ＵＴ６０４は高または中優先度ＢＳを探索し、信号強度が高い最小しきい値を満たさないならば、任意の他の適切なＢＳを探索することになる。ＷＣＤＭＡネットワークにおけるＨＣＳパラメータ６０８およびセル探索パラメータ６１２の具体例は、それぞれＨＣＳ＿ＰＲＩＯパラメータおよびＳｓｅａｒｃｈＨＣＳパラメータである。ただし、主題の開示はＷＣＤＭＡネットワークおよびパラメータに限定されないことを諒解されたい。そうではなく、３ＧＰＰ  ＬＴＥ、ＵＭＢ、ＷｉＭＡＸ、ＵＭＴＳなど、類似したＢＳ優先度および／または探索パラメータを有する他の適切なワイヤレスネットワークシステムは、主題の開示の一部として企図される。
【００７４】
パラメータ化レコード６０６はまた、ＵＴ６０４のいくつかの機能を含むＵＥアクセスタイプ６１０パラメータを含む。機能は、ＵＴ６０４から、またはネットワーク事業者のＨＬＲ、または他の適切なネットワークデータソースから取得することができる。さらに、ＵＥアクセスタイプ６１０は、様々なＵＴ機能に対して構成され、パラメータ化レコード６０６中に含まれる、パラメータ６０８、６１２、６１４、６１６、６１８の複数のセットのうちの１つを選択する、選択的パラメータ化フラグとして利用される。したがって、前述の例を続けると、ＵＴ６０４のＵＥアクセスタイプがＧＡマクロネットワークのみである場合、前述の例に記載したパラメータの代わりに、ＨＣＳパラメータ６０８とセル探索パラメータ６１２の異なるセットがＵＴ６０４に与えられ、および／またはＵＴ６０４によって選択される。たとえば、ＨＣＳパラメータ６０８は、ＧＡマクロＢＳに高い優先度を与え、ＲＡ  ＢＳに低い優先度を与える。さらに、セル探索パラメータ６１２は、ＲＡ  ＢＳには高い最小しきい値を確立し、ＵＴ６０４が、ＲＡ  ＢＳによってサービスされるときに、そのようなＢＳを無視するか、または他のＢＳを探索する可能性を高め、ＧＡ  ＢＳには低い最小しきい値を確立する。異なるＵＴ機能と相関する他の適切な優先度および探索パラメータ構成が存在することがあることを諒解されたい。たとえば、異なるパラメータのセットがマルチモードＷｉＦｉ／セルラーＵＴ（６０４）のために確立されて、ＷｉＦｉアクセスポイント、セルラーアクセスポイント、または両方の優先度を確立し、他のアクセスポイントタイプ（たとえば、ＷｉＭＡＸ）と比較される。
【００７５】
上記のパラメータに加えて、パラメータ化レコード６０６は、周波数探索パラメータ６１４と、モバイル選択パラメータ６１６と、近接セルパラメータ６１８とを備える。ＷＣＤＭＡの文脈における上記のパラメータの例には、ＳＩＮＴＥＲＳＥＡＲＣＨパラメータ（たとえば、ネットワークの異なる利用可能な周波数チャネル間で探索する）、ＳＩＮＴＲＡＳＥＡＲＣＨパラメータ（たとえば、周波数チャネル内で探索する）、ならびにＱｈｙｓｔ１ＳおよびＱｏｆｆｓｅｔ１Ｓ，Ｎ（たとえば、別のＢＳにハンドオフするかまたは別のＢＳをアクティブなハンドオーバセットに追加するかどうかを判断する）がある。上記と同様の方式で、周波数探索パラメータ６１４、モバイルセル選択パラメータ６１６および近接セル選択パラメータ６１８を、ＨＣＳ優先度タイプごとに変動する最小しきい値とともに確立する。さらに、好適なおよび好適でないパラメータ６１４、６１６、６１８のセットをＵＥアクセスタイプ６１０に応じて与える。このようにして、たとえば、ＵＴ６０４がＲＡ対応である場合、パラメータ６１４、６１６、６１８は、ＨＮＢなどのＲＡ  ＢＳには低い最小しきい値を確立し、他のタイプのＢＳには中程度のおよび／または高い最小しきい値を確立する。そのような場合には、ＵＴ６０４は、周波数チャネル内および周波数チャネル間で探索し、ＲＡ  ＢＳにハンドオフする可能性が高く、ＲＡ  ＢＳにキャンプし／ＲＡ  ＢＳによってサービスされるままである可能性が高い。
【００７６】
図７に、主題の開示の態様による、ＢＳ７０２と１つまたは複数のＵＴ７０４（たとえば、モバイルデバイス）とを備える例示的なシステム７００のブロック図を示す。ＢＳ７０２は、本明細書で説明するように、異種タイプのモバイルネットワークアクセスポイントへの選択的アクセスを与えるように構成される。そのようなタイプのアクセスポイントを識別し、区別するように構成されたＵＴ７０４では、そのようなアクセスポイントによって開始された信号の受入れを可能にするために、適切なタイプのアクセスポイントの（１つまたは複数の）ＩＤがＵＴ７０４に送信される。ＵＴ７０４が種々のタイプのアクセスポイントを識別および／または区別するように構成されていない場合、アクセスポイントＩＤをマクロネットワークＩＤの等価物として確立し、それによって、ＵＴ７０４は、あたかもそれらがマクロネットワークＢＳであるかのように、アクセスポイントＩＤを備える信号を受け入れることができる。本開示の他の態様では、本明細書で説明するように、アクセスポイントタイプに応じて探索および／またはアクセス優先度に重み付けするためのパラメータ化(parameterization) がＵＴ７０４に送信される。そのようなパラメータ化は、ＵＴ７０４が１つのタイプのアクセスポイントを発見／アクセスする可能性を高め、またはＵＴ７０４が第２のタイプのアクセスポイントを発見／アクセスする可能性を低める。いくつかの態様では、与えられるパラメータはＵＴ７０４の機能に基づく。
【００７７】
ＢＳ７０２（たとえば、アクセスポイント、．．．）は、１つまたは複数のＵＴ７０４から１つまたは複数の受信アンテナ７０６を介して（１つまたは複数の）信号および無線（ＯＴＡ）メッセージを受信する受信機７１０と、変調器７３０によって与えられたコード化／被変調ＯＴＡ信号およびメッセージを１つまたは複数のＵＴ７０４に（１つまたは複数の）送信アンテナ７０８を介して送信する送信機７３２とを備える。受信機７１０は、受信アンテナ７０６から情報を受信し、さらに、（１つまたは複数の）ＵＴ７０４によって送信されたアップリンクデータを受信する信号受信者（図示せず）を備える。さらに、受信機７１０は、受信した情報を復調する復調器７１２に動作可能に連結される。復調されたシンボルはプロセッサ７１４によって分析される。プロセッサ７１４はメモリ７１６に結合され、このメモリ７１６は、基地局７０２によって提供される機能に関係する情報を記憶する。一例では、記憶される情報は、様々なアクセスポイントＩＤを取得すること、およびそのようなＩＤをＵＴ７０４に与えること、および／または１つまたは複数のそのようなＩＤをマクロネットワークＩＤの等価物として確立することに対するルールを備える。さらに、記憶される情報は、好適なおよび好適でないＢＳ（７０２）を確立するように構成されたパラメータのセットを備える。特に、記憶される情報は、本明細書で説明するように、ＧＡ  ＢＳに対してＲＡ  ＢＳを優先させるＨＣＳを確立し、相対優先度を設定するためにＵＴ７０４のＲＡ機能を使用するパラメータを備える。
【００７８】
さらに、プロセッサ７１４は、ＵＴ７０４からアクセス要求を取得する登録モジュール７２２に結合される。登録モジュール７２２は、要求元ＵＴ（７０４）を識別するデータを取得し、そのような情報をデータ照会モジュール７１８に与える。データ照会モジュールは、識別データを使用して、モバイルコアネットワークからシグナリングインターフェース７２８を介して加入者プロファイル情報を取得する。取得すると、分析モジュール７２０は、本明細書で説明するように、ＵＴ機能、適切なアクセスポイントタイプＩＤ、領域アクセスＩＤ情報、および同様の情報を抽出する。そのような情報に基づいて、および随意に、要求元ＵＴ（７０４）がＢＳ７０２に関連するＣＳＧ中に含まれるかどうかに基づいて、登録モジュール７２２は、要求元ＵＴ（７０４）へのアクセスを与えるべきかどうかを判断する。
【００７９】
上記に加えて、ＢＳ７０２は選択的アクセスモジュール７２６を含む。選択的アクセスモジュール７２６は、ＵＴ７０４がＲＡ  ＢＳを取得し、ＲＡ  ＢＳにアクセスする確率を上げるか、またはＵＴ７０４がＲＡ  ＢＳのほうを優先してＧＡ  ＢＳにアクセスする確率を下げるＵＴパラメータのセットを確立し、送信する。さらに、ＢＳ７０２は限定モジュール７２４を備える。限定モジュール７２４は、ＲＡ  ＢＳ環境においてＵＴ７０４のオーバーヘッドシグナリングの低減を可能にする。たとえば、登録モジュール７２２が（たとえば、ＢＳ７０２はＲＡ  ＢＳであり、要求元ＵＴはＢＳ７０２に関連するＣＳＧ中に含まれないので）要求元ＵＴ（７０４）からのアクセス要求を拒否する場合、そのようなＵＴ（７０４）は他の近くのＢＳとの接続を直ちに試みる。ＲＡ  ＢＳの稠密な展開では、そのような結果は、最終的に拒否される多数の要求をもたらし、要求元ＵＴ（７０４）のバッテリ電力を著しく消耗させることがある。したがって、登録モジュール７２２が要求を拒否した場合、限定モジュール７２４は遅延パラメータをＵＴに提出する。遅延パラメータは、遅延期間の間、ＢＳ７０２と共通のアクセスポイントＩＤ（たとえば、共通のＰＬＭＮ  ＩＤ、または共通の予約済みＰＬＭＮ  ＩＤ）を有するアクセスポイントを無視することをＵＴに要求する。随意に、選択的アクセスモジュール７２６はまた、要求元ＵＴ（７０４）が、ＢＳ７０２とは異なるアクセスポイントＩＤを有するアクセスポイントを探索する確率を上げるパラメータ化セットを提出する。したがって、要求元ＵＴは、非ＲＡ  ＢＳにアクセスする可能性が高まり、外部ＲＡ  ＢＳへの無駄なオーバーヘッドシグナリングが著しく低減される。
【００８０】
図８は、ＢＳ８０４とインターフェースするように構成されるＵＴ（たとえば、モバイルデバイス）８０２を備える例示的なシステム８００のブロック図を示す。ＵＴ８０２は、ワイヤレスネットワークの１つまたは複数のそのようなＢＳ８０４（たとえば、アクセスポイント）にワイヤレスに結合するように構成される。したがって、たとえば、ＵＴ８０２は、当技術分野で知られているように、ＦＬチャネル上でＢＳ８０４からＯＴＡ信号を受信し、ＲＬチャネル上でＯＴＡ信号およびメッセージで応答する。さらに、ＵＴ８０２は、ＢＳ８０４からアクセスポイントＩＤを取得し、アクセスポイントＩＤは、ＵＴ８０２がインターフェースするように構成および／または許可されるアクセスポイントのタイプを識別する。いくつかの態様では、アクセスポイントＩＤは、ＵＴ８０２がワイヤレス通信において使用するように構成された事業者のマクロネットワークＩＤの等価物として確立される。代替的に、または追加として、ＵＴ８０２は、ＢＳ８０４によって送信されるＢＳ探索およびアクセスパラメータ化を取得する。パラメータ化は、本明細書で説明するように、ＢＳ８０４および近接するＢＳ（図示せず）のタイプ（たとえば、送信電力、アクセスタイプ、再使用タイプ）に基づき、および随意でＵＴ８０２のアクセス機能に基づく。
【００８１】
ＵＴ８０２は、信号を受信する少なくとも１つのアンテナ８０６（たとえば、入力インターフェースを備える送信受信機、またはそのような受信機のグループ）と、受信信号に対して典型的な動作（たとえば、フィルタ処理、増幅、ダウンコンバートなど）を行う（１つまたは複数の）受信機８０８とを含む。少なくともいくつかの態様によれば、（１つまたは複数の）プロセッサ８１２は、復調器８１０から受信された信号の部分を選択的に分析し、選択された基地局（８０４）または基地局のタイプに関連する同期および／または制御情報を取得する。一般に、変調器８３２によって与えられた被変調シンボルをワイヤレスで送信するアンテナ８０６および送信機８３４（トランシーバと総称される）は、（１つまたは複数の）基地局８０４とのワイヤレスデータ交換を可能にするように構成される。
【００８２】
アンテナ８０６および（１つまたは複数の）受信機８０８はまた、受信シンボルを復調し、復調されたシンボルを評価のために（１つまたは複数の）プロセッサ８１２に供給する復調器８１０に結合される。（１つまたは複数の）プロセッサ８１２は、ＵＴ８０２の１つまたは複数の構成要素（８０６、８０８、８１０、８１４、８１６、８１８、８２０、８２２、８２４、８２６、８２８）を制御および／または参照することを諒解されたい。さらに、（１つまたは複数の）プロセッサ８１２は、ＵＴ８０２の機能を実行することに関連する情報または制御を備える１つまたは複数のモジュール、アプリケーション、エンジンなど（８１６、８１８、８２２、８２４、８２６、８２８）を実行する。たとえば、そのような機能は、本明細書で説明するように、ＢＳ８０４に関連する事業者のＰＬＭＮ  ＩＤ、ＢＳ８０４の識別ＩＤ、専用ネットワークアクセスポイント（たとえば、ＨＮＢ、ＷｉＦｉアクセスポイント、ＷｉＭＡＸアクセスポイントなど）の固有のＩＤに関して受信したワイヤレス信号を走査すること、好適でないＢＳタイプに勝る好適なＢＳタイプを確立し、識別するために探索および／またはアクセスパラメータ化を使用すること、あるいは同様の動作を含む。
【００８３】
ＵＴ８０２はさらに、（１つまたは複数の）プロセッサ８１２に動作可能に結合されたメモリ８１４を含む。メモリ８１４は、送信、受信などすべきデータと、リモートデバイス（８０４）とのワイヤレス通信を行うのに適した命令（８２０）とを記憶する。さらに、メモリ８１４は、上記の（１つまたは複数の）プロセッサ８１２によって実行されるモジュール、アプリケーション、エンジンなど（８１６、８１８、８２２、８２４、８２６、８２８）を記憶する。
【００８４】
上記に加えて、プロセッサ８１２およびメモリ８１４は、ネットワークアクセス要求を生成し、ＢＳ８０４に提出するように構成されたアクセスモジュール８１８に結合される。さらに、ＵＴ８０２は、ワイヤレスネットワークの選択されたアクセスポイントに関連するＩＤを取得する信号プロセッサ８１６を備える。そのようなＩＤは、アクセスタイプ、再使用タイプ、送信電力、セルサイズなど、またはそれらの組合せを含むタイプに応じて、選択されたアクセスポイントを区別する。ＩＤは、アクセスモジュール８１８によって提出されるアクセス要求の承認を条件としてＵＴ８０２に与える。そのような場合には、ＩＤは、そのようなＢＳ（８０４）にアクセスするために利用されるパイロットおよび／または捕捉データ中でＩＤを送信するＢＳ（８０４）への後続のアクセス要求においてアクセスモジュール８１８によって提出される。少なくとも１つの態様では、アクセスモジュール８１８は、ＢＳ８０４によって送信されたセルＩＤ（たとえば、追跡エリア［ＴＡ］）がＲＡセルＩＤであるかＧＡセルＩＤであるかを識別するデータについて、解析モジュール８３０に受信したワイヤレス信号を走査するように要求する。セルＩＤがＲＡ  ＩＤである場合、アクセスモジュール８１８は、セルＩＤがホームＨＮＢなどのホームＲＡ  ＢＳに関連するかどうか、または、タイミングモジュール８２６によって課される、ＲＡ  ＢＳへのアクセスを限定する遅延時間が実施されているかどうかに基づいて、アクセス要求をＢＳ８０４に提出することを決定する（下記参照）。
【００８５】
上記に対してさらに、ＵＴ８０２は、ＢＳ８０４のアクセスポイントＩＤをメモリ８１４に記憶されたホーム領域ＩＤのセットに対して照合するフィルタリングモジュール８２０を備える。ホーム領域ＩＤは、加入ベースのサービスまたは好適なアクセスサービスをＵＴ８０２に与える１つまたは複数の地理的領域またはネットワーク領域を識別する。適切なホーム領域ＩＤが識別された場合、フィルタリングモジュール８２０は、そのようなアクセスポイントＩＤを好適または高優先度ＢＳとして送信するＢＳ（８０４）を確立する。アクセスモジュール８１８は、次いで、それより下ではアクセス要求がそのようなＢＳに提出されるしきい値を上げる。いくつかの態様では、フィルタリングモジュール８２０は、事業者のＰＬＭＮ  ＩＤ、または事業者に関連する同様の識別子の等価物としてアクセスポイントＩＤを確立する。等価ＩＤは、アクセスモジュール８１８が、そのようなＩＤを利用するアクセスポイントを事業者によって管理されるマクロＢＳと実質的に同様の方法で扱うことを可能にする。
【００８６】
１つまたは複数の他の態様では、ＵＴ８０２は、ＢＳ（８０４）へのアクセス履歴を記録する接続性追跡モジュール８２２を備える。そして、たとえば、接続性追跡モジュール８２２は、セルＩＤまたはアクセス要求を承認するアクセスポイントの位置データを記録する。位置データおよび／またはアクセス位置データは、ＵＴ８０２が位置する登録エリアＩＤまたはアクセスエリアＩＤを参照するか、あるいは、地理的位置特定デバイス（たとえば、ＧＰＳ）、または位置を判断するための他の適切なデバイスを含む位置追跡モジュール８２８によって与えられる。アクセス位置または位置は、好適アクセスポイントまたは高優先度アクセスポイントとして確立されるホームアクセスポイントと相関される。代替的に、または追加として、接続性追跡モジュール８２２は、アクセス要求を拒否するアクセスポイントのセルＩＤまたはアクセス位置データを記録する。そのような場合には、セルＩＤ／アクセス位置は外部アクセスポイントと相関され、ブラックリストに載せられる。ブラックリストに載せられたセルＩＤ／アクセス位置は、アクセス要求を開始すべきかどうかを判断するとき、アクセスモジュール８１８によって無視される。上記に加えて、アクセス要求が拒否された場合、タイミングモジュール８２６は、ＵＴ８０２へのアクセスを拒否するＢＳと共通のアクセスポイントＩＤを共用するアクセスポイントへの後続のシグナリングに遅延時間を課す。遅延時間は、たとえば、外部ＨＮＢへの冗長または無駄なシグナリングを回避することに役立つ。
【００８７】
上述のシステムは、いくつかの構成要素、モジュールおよび／または通信インターフェースの間の相互作用に関して説明された。そのようなシステムおよび構成要素／モジュール／インターフェースは、本明細書中で指定された構成要素もしくは下位構成要素、指定された構成要素もしくは下位構成要素の一部、および／または追加の構成要素を含むことができることを諒解されたい。たとえば、システムは、ＨＮＢ２１０、インターネット２４０、コアネットワーク５０２、およびＵＴ８０２、またはこれらおよび他の構成要素の様々な組合せを含むことができる。下位構成要素は、親構成要素内に含まれるのではなく、他の構成要素に通信可能に結合された構成要素として実装することもできる。さらに、１つまたは複数の構成要素を組み合わせて、集約機能を提供する単一の構成要素にすることができることに留意されたい。たとえば、データ照会モジュール５０６は、単一の構成要素によって加入者プロファイル情報を照会し、その情報を分析することを可能にするためにデータ分析モジュール５１８を含むことができ、またその逆も同様である。構成要素はまた、特に本明細書に記載されていないが当業者に知られている１つまたは複数の他の構成要素と相互作用することもできる。
【００８８】
さらに、諒解されるように、開示した上記のシステムおよび下記の方法の様々な部分は、人工知能、または知識ベースもしくはルールベースの構成要素、下位構成要素、プロセス、手段、方法、または機構（たとえば、サポートベクターマシン、ニューラルネットワーク、エキスパートシステム、ベイズの信念ネットワーク(Bayesian belief networks)、ファジー論理、データ融合エンジン、クラシファイヤなど）を含むか、またはそれらからなる。そのような構成要素は、特に、および本明細書ですでに説明したものに加えて、システムおよび方法の部分をより適応的ならびに効率的で知的にするために、それによって実行されるいくつかの機構またはプロセスを自動化することができる。
【００８９】
上記で説明した例示的なシステムに鑑みて、開示する主題に従って実施できる方法は、図９〜図１２のフローチャートを参照すればより良く諒解されよう。説明を簡単にするために、方法を一連のブロックとして図示および説明したが、いくつかのブロックは本明細書で図示および説明したブロックとは異なる順序で、および／または他のブロックと同時に行うことができるので、主張する主題はブロックの順序によって限定されないことを理解および諒解されたい。さらに、以下で説明する方法を実施するために、図示されたすべてのブロックが必要とされるわけではない。さらに、以下および本明細書の全体にわたって開示する方法は、そのような方法をコンピュータに移送および転送することを可能にする製造品に記憶することが可能であることをさらに諒解されたい。使用する製造品という用語は、任意のコンピュータ可読デバイス、キャリアに関連するデバイス、または記憶媒体からアクセス可能なコンピュータプログラムを包含するものとする。
【００９０】
図９は、主題の開示のいくつかの態様による、選択されたカテゴリのＢＳへの領域アクセスを与えるための例示的な方法９００のフローチャートを示す。方法９００は、９０２において、ＵＴに関係する加入者プロファイル情報を取得する。加入者プロファイル情報は、ＵＴに関連する（たとえば、ワイヤレスサービスをＵＴに与える）ネットワーク事業者によって維持されるネットワーク構成要素から取得される。さらに、プロファイル情報は、ＵＴのアクセス機能（たとえば、本明細書で説明するように、ＵＴが、ＲＡ  ＢＳにアクセスするように構成／許可されるか、またはＷｉＦｉ、ＨＮＢ、ＷｉＭＡＸ、または他のそのようなアクセスポイントなど、専用アクセスポイントにアクセスするように構成されるか）、ＵＴに関連するネットワーク事業者のＰＬＭＮ  ＩＤ、専用アクセスポイントに関連するアクセスポイントＩＤ、登録エリアＩＤ情報、ホームセルＩＤ、サブスクリプションステータスなどを含む。
【００９１】
９０４において、方法９００はプロファイル情報からネットワーク領域を表すデータを抽出する。一例として、ネットワーク領域は、エリア限定ローミングをサポートする領域ゾーンコードなどの領域サブスクリプションデータを備える。他の例では、ネットワーク領域は、ネットワークの登録エリア識別子、ＴＡＩ、ＬＡＩまたはＲＡＩを備える。さらに他の例では、ネットワーク領域は、固有の地理的および／または政治的な境界（たとえば、市町村、郡区、住宅地区、郡、州、省など）に割り当てられた適切な識別子（たとえば、番号）に基づく。９０６において、方法９００は、ネットワーク領域を、ＵＴにサービスするセルまたは近接するセルなど、ワイヤレスネットワークのセルに関連するデータと比較する。９０８において、方法９００は、ネットワーク領域がセルのネットワーク領域に一致する場合、ワイヤレスネットワークの選択されたアクセスポイントに関連するＩＤをＵＴに提出する。いくつかの態様では、選択されたアクセスポイントは、ネットワーク領域内に位置する専用アクセスポイント（たとえば、ＨＮＢ）であり、それによって、ＵＴがネットワーク領域内にある場合、そのようなアクセスポイントとの通信を可能とする。ＵＴがネットワーク領域内にあるときにアクセスポイントＩＤを提出することによって、ＵＴは、領域内にある間に、そのような選択されたアクセスポイント、またはいくつかの例では好適なアクセスポイントが発見されうることを推論する。
【００９２】
図１０は、異種カテゴリのＢＳの稠密な展開の中でユーザ端末のシグナリングの低減を可能にするための例示的な方法１０００のフローチャートを示す。以下で説明するように、方法１０００は、特にそのような端末が利用可能なＢＳのサブセットのみにアクセスするように構成または許可される場合、モバイル効率を改善することができる。１００２において、方法１０００は、モバイルネットワークにアクセスするか、またはネットワークから音声またはデータサービスを取得する要求を備えるワイヤレス信号を取得する。１００４において、方法１０００は、アクセス要求から要求元ＵＴのＩＤを取得する。１００６において、方法１０００は、要求元ＵＴに関連する１つまたは複数のホーム領域を指定する加入者プロファイル情報を取得する。１００８において、方法１０００は、要求を受信したセルが、加入者プロファイル情報で指定された（１つまたは複数の）ホーム領域に一致するかどうかを決定する。セルが（１つまたは複数の）ホーム領域に一致する場合、方法１０００は１０１４に進む。他の場合、方法１０００は１０１０に進む。
【００９３】
１０１０において、方法１０００は事業者ＰＬＭＮ  ＩＤを要求元ＵＴに提出する。ＰＬＭＮ  ＩＤは、事業者のネットワークへのアクセスを与えるマクロネットワークＢＳへのアクセスを可能にする。１０１２において、方法１０００は、事業者に有利なパラメータを要求元ＵＴに送信する。そのようなパラメータは、ＵＴがマクロネットワークＢＳを探索し、それにアクセスおよび／またはハンドオフする可能性を高めるか、またはＵＴがマクロネットワークＢＳ以外のＢＳを探索し、それにアクセスおよび／またはハンドオフする可能性を低める。したがって、ＵＴが、関連するホーム領域外にあるとき、方法１０００は、ＵＴをマクロネットワークに向けて、非マクロＢＳへのシグナリングを緩和するかまたはなくすことができる。
【００９４】
１０１４において、方法１０００は予約済みＰＬＭＮ  ＩＤを事業者のＰＬＭＮ  ＩＤの等価物として送信する。予約済みＰＬＭＮ  ＩＤは、ＵＴが利用するように許可され、構成された（１つまたは複数の）ホーム領域内に含まれる選択アクセスポイントに関連付けられる。予約済みＰＬＭＮ  ＩＤを事業者のＰＬＭＮ  ＩＤの等価物として確立することによって、選択アクセスポイントは事業者によって維持されるマクロＢＳと実質的に同様に扱われうる。したがって、ＵＴが選択アクセスポイントをマクロＢＳと明確に区別できない場合でも、方法１０００は、そのような選択アクセスポイントへのアクセスを可能とする。
【００９５】
１０１６において、方法１０００は、予約済みＰＬＭＮ  ＩＤに関連する選択されたアクセスポイントに有利なパラメータをＵＴに送信する。そのようなパラメータは、ＵＴが予約済みＰＬＭＮ  ＩＤに関連するアクセスポイントを探索し、それにアクセスおよび／またはハンドオフする可能性を高めるか、または、ＵＴが予約済みＰＬＭＮ  ＩＤに関連しないアクセスポイントを探索し、それにアクセスおよび／またはハンドオフする可能性を低める。したがって、パラメータは、マクロネットワーク上の端末の負荷を低減し、および／または、ＵＴが予約済みＰＬＭＮ  ＩＤに関連するホームまたは好適アクセスポイントの位置をより効率的に特定できる。
【００９６】
方法１０００は、（たとえば、ＵＴからアクセス要求を受信したセルがＲＡ  ＢＳである場合）随意に参照番号１０１８〜１０２４に進む。１０１８において、方法１０００はＵＴのモバイルＩＤを受信セルに関連するＣＳＧと比較する。１０２０において、モバイルＩＤがＣＳＧ中に含まれるＩＤに一致するかどうかに関する決定を行う。一致が発見された場合、方法１０００は１０２４に進み、セルへのアクセスを許可する。さもなければ、一致が発見されない場合、方法１０００は１０２２に進み、セルへのアクセスを拒否する。アクセスは方法１０００によって拒否される場合があるが、ＵＴがホームＲＡ  ＢＳを識別する可能性を高めることを諒解されたい。特に、参照番号１０１４および１０１６において、それぞれ予約済みＰＬＭＮ  ＩＤおよびＲＡ  ＢＳに有利なネットワークパラメータを送信することによって、ＵＴは、他のタイプのＢＳよりもＲＡ  ＢＳにシグナリングする可能性が高くなり、ホームＲＡ  ＢＳの位置を特定するのに必要な時間を潜在的に低減することができる。したがって、多くの状況において、方法１０００により、モバイルアクセスをより効率的にし、シグナリングオーバーヘッドを低減することができる。
【００９７】
図１１に、好適なネットワークアクセスポイントを介してネットワークアクセスを改善するための例示的な方法１１００のフローチャートを示す。１１０２において、方法１１００はワイヤレスネットワークのアクセスポイントにシグナリングする。いくつかの態様では、シグナリングはアクセスポイントへのネットワークアクセス要求を備える。さらに、追加の態様によれば、アクセス要求は要求元デバイスのＩＤを含む。１１０４において、方法１１００は、ワイヤレスネットワークの選択されたアクセスポイントに関連するＩＤを取得する。そのようなＩＤは、選択されたアクセスポイントをタイプ（たとえば、アクセスタイプ、再使用タイプ、送信電力、セルサイズなど）に応じて他のネットワークアクセスポイントと区別するために利用される。さらに、１つまたは複数の特定の態様によれば、ＩＤは、ネットワークアクセス要求を受信したセルによって、そのような要求の承認を条件として与えられる。
【００９８】
１１０６において、方法１１００は、選択されたアクセスポイントのうちの少なくとも１つを介したワイヤレスネットワークへのアクセスを可能にするためにＩＤを使用する。いくつかの態様では、ＩＤを利用して、選択されたアクセスポイントのうちの１つを他のタイプのアクセスポイントと区別する。ワイヤレスネットワークに接続するために選択されたアクセスポイントの利用を続けるべきかどうかの決定は、そのような区別に少なくとも部分的に基づく。さらに、ＩＤを使用して潜在的なアクセスポイントをフィルタ処理することにより、好適アクセスポイントを発見する確率を上げることができる。他の態様では、ＩＤを使用して潜在的なアクセスポイントをフィルタ処理することにより、異種タイプのアクセスポイントの間の負荷分散を改善することができる。したがって、本明細書で説明するように、異種タイプのネットワークアクセスポイントを備えるワイヤレスネットワーク環境において、モバイル効率を改善することができる。
【００９９】
図１２は、主題の開示の特定の態様による、稠密なアクセスポイント展開においてシグナリングオーバーヘッドの低減を可能にするための例示的な方法１２００のフローチャートである。１２０２において、方法１２００はネットワークアクセスポイントにシグナリングする（たとえば、そのような信号はネットワークアクセス要求を備える）。１２０４において、方法１２００は、信号に応答して領域／ネットワークＩＤを受信する。領域／ネットワークＩＤは、随意に、ネットワークアクセス要求の承認を条件として受信される。１２０６において、方法１２００は、領域／ネットワークＩＤをＵＴに関連したホーム領域ＩＤのセットと比較する。１２０８において、方法１２００は、領域／ネットワークＩＤがホーム領域ＩＤに一致する場合、領域／ネットワークＩＤに関連する専用アクセスポイント（たとえば、ＨＮＢ、ＷｉＦｉ、ＷｉＭＡＸなど）を介してワイヤレスネットワークにアクセスする。１２１０において、方法１２００は、ネットワークへのアクセスを承認または拒否する専用アクセスポイントのセルＩＤを追跡し、分類する。いくつかの態様では、そのような追跡はアクセスポイントがＲＡ  ＢＳであることを条件とする。１２１２において、方法１２００は、アクセス要求が拒否された場合、専用アクセスポイントに対して遅延期間を実行する。１２１４において、方法１２００は、アクセス要求が拒否された場合、非ＲＡアクセスポイントによって少なくとも部分的に使用されるアクセス周波数に切り替える。１２１６において、方法１２００は、アクセス要求の承認または拒否に応じて要求元デバイス（たとえば、ＵＴ）の位置を追跡する。位置は、要求が承認または拒否されたかどうかに基づいて、それぞれ承認しているかまたは限定している専用アクセスポイントに相関される。１２１８において、方法１２００は、領域内に位置するマクロＢＳと比較して領域／ネットワークＩＤに関連する専用アクセスポイントにアクセスまたはハンドオフする可能性に重み付けするパラメータセットを取得する。したがって、たとえば、アクセス要求が拒否された場合、パラメータは、マクロＢＳにアクセスする／ハンドオフする可能性を高めることができる。さもなければ、アクセス要求が成功した場合、パラメータは、領域／ネットワークＩＤに関連する専用アクセスポイントにアクセスする／ハンドオフする可能性を高めることができる。
【０１００】
図１３および図１４に、本明細書で説明するように、それぞれモバイルネットワークの専用アクセスポイントへのリモートデバイスのアクセスを可能にし、アクセスを実装する例示的なシステム１３００、１４００のブロック図を示す。たとえば、システム１３００、１４００は、少なくとも部分的にワイヤレス通信ネットワーク内に、および／またはノード、基地局、アクセスポイント、ユーザ端末、モバイルインターフェースカードに結合されたパーソナルコンピュータなどの送信機内に常駐する。システム１３００、１４００は機能ブロックを含むように表されており、その機能ブロックは、プロセッサ、ソフトウェア、またはそれらの組合せ（たとえば、ファームウェア）によって実装される機能を表すものであることを諒解されたい。
【０１０１】
システム１３００は、ワイヤレスネットワークの専用アクセスポイントへのＵＴアクセスを可能にし、専用アクセスポイントとマクロＢＳの混合展開においてオーバーヘッドシグナリングを低減することができる。システム１３００は、ＵＴに関連する加入者プロファイル情報を取得するための手段１３０２を備える。そのような手段１３０２は、ＵＴからワイヤレス信号を取得するトランシーバ、ならびにプロファイル情報を識別し、抽出するために信号をパースすることができる信号プロセッサを備える。他の例では、手段１３０２は、コアモバイルネットワークの構成要素と通信するシグナリングインターフェースを使用するデータ照会手段を備える。照会手段は、ワイヤレスサービスをＵＴに提供するネットワーク事業者によって維持されるＨＬＲ、または類似した構成要素からプロファイル情報を取得する。
【０１０２】
上記に加えて、システム１３００は、加入者プロファイルからネットワーク領域ＩＤ（たとえば、登録エリア識別子）を抽出するための手段１３０４を備える。特に、本明細書で説明するように、手段１３０４は、あるタイプの専用ネットワークアクセスポイント用に予約されたＰＬＭＮ  ＩＤのプロファイルを解析する。登録エリアＩＤは、そのような専用アクセスポイントの選択されたグループが位置する領域を示す。ネットワーク登録エリアＩＤをセルＩＤと比較するための手段１３０６は、システム１３００に関連するセルがネットワーク登録エリアＩＤに一致するかどうかを決定する。そうであれば、登録エリアＩＤを提出するための手段１３０８は、識別された領域内で専用アクセスポイントにアクセスすることを可能にするために、そのようなＩＤをＵＴに送信する。いくつかの態様では、手段１３０８は、さらに、加入者プロファイルから取得された予約済みＰＬＭＮ  ＩＤを事業者のＰＬＭＮ  ＩＤと同等と考えることができる。したがって、ＵＴは、事業者のマクロＢＳを用いて実行されるのと実質的に同様の方法で専用アクセスポイントとインターフェースすることができる。
【０１０３】
システム１４００は、モバイルネットワークの専用アクセスポイントへの領域アクセスを与える。システム１４００は、ネットワークの適切なアクセスポイントにネットワークアクセス要求を提出するための手段１４０２を備える。手段１４０２は、たとえば、そのようなアクセスポイントとワイヤレスに通信するように構成されたワイヤレストランシーバを備える。さらに、選択されたアクセスポイントのネットワークＩＤを取得するための手段１４０４は、アクセス要求に応答して受信されたデータを分析する。特に、手段１４０４は、そのような情報が応答中に含まれる場合、アクセスポイントがＲＡアクセスポイントかＧＡアクセスポイントかを決定し、事業者のＰＬＭＮ  ＩＤを決定し、１つまたは複数の登録エリアＩＤを決定し、特定のタイプのアクセスポイント用に予約された１つまたは複数の専用アクセスポイントＩＤを決定する。上記に加えて、システム１４００は、モバイルネットワークにアクセスする際に受信した情報を使用するための手段１４０６を備える。特に、手段１４０６は、登録エリアＩＤが、アクセスポイントが位置する領域に一致する場合、専用アクセスポイントＩＤを利用する。そのような場合、手段１４０６は、専用アクセスポイントＩＤを使用して、システム１４００によって取得されたワイヤレス信号をフィルタ処理する。フィルタリングは、モバイルネットワークに接続するための好適なタイプのアクセスポイントを決定するために利用され、ネットワーク負荷の改善および／または好適なタイプのアクセスポイントによって提供される有利なサービスもしくは料金プランの利用を可能にする。
【０１０４】
以上の説明は、請求する主題の態様の例を含む。もちろん、請求する主題について説明する目的で構成要素または方法のあらゆる考えられる組合せについて説明することは不可能であるが、開示した主題の多数のさらなる組合せおよび置換が可能であることを、当業者なら認識できよう。したがって、開示した主題は、添付の特許請求の範囲の趣旨および範囲内に入るすべてのそのような改変形態、変更形態および変形形態を包含するものとする。さらに、「含む（include）」、「有する（has）」、「有する（having）」という用語は、そのような用語が、発明を実施するための形態または特許請求の範囲のいずれかで使用される限り、「備える（comprising）」という用語が請求項において移行語として使用されるときの解釈と同様に包括的なものとする。
【図１】
2010541488.tif 000003
【図２】
2010541488.tif 000004
【図３】
2010541488.tif 000005
【図４】
2010541488.tif 000006
【図５】
2010541488.tif 000007
【図６】
2010541488.tif 000008
【図７】
2010541488.tif 000009
【図８】
2010541488.tif 000010
【図９】
2010541488.tif 000011
【図１０】
2010541488.tif 000012
【図１１】
2010541488.tif 000013
【図１２】
2010541488.tif 000014
【図１３】
2010541488.tif 000015
【図１４】
2010541488.tif 000016
【国際調査報告】
2010541488.tif 000017
2010541488.tif 000018